(57)【特許請求の範囲】
【請求項１】
通信システムにおいて動作可能な装置であって、
ネットワークへのデータ接続のために第１のアプリケーションのための第１のタイプの第１のインターネットプロトコルアドレスと第２のアプリケーションのための第２のタイプの第２のインターネットプロトコルアドレスとの割当てを受信するための手段と、
前記装置が前記第１のインターネットプロトコルアドレスと前記第２のインターネットプロトコルアドレスの両方を処理することが現在可能でないと判断するための手段と、
廃棄すべきインターネットプロトコルアドレスを判断するための手段と、
前記判断されたインターネットプロトコルアドレスを廃棄するための手段と
を備える、装置。
【請求項２】
前記データ接続がパケットデータネットワーク接続であり、前記ネットワークがアクセスポイント名であり、前記第１のインターネットプロトコルアドレスがＩＰｖ４アドレスであり、前記第２のインターネットプロトコルアドレスがＩＰｖ６アドレスであり、第１の無線アクセス技術がＬｏｎｇ  Ｔｅｒｍ  Ｅｖｏｌｕｔｉｏｎであり、第２の無線アクセス技術が発展型高速パケットデータである、請求項１に記載の装置。
【請求項３】
廃棄すべきインターネットプロトコルアドレスを判断するための前記手段は、前記データ接続を要求するアプリケーションがインターネットプロトコルアドレスタイプをも要求したと判断するための手段を備え、前記データ接続を要求する前記アプリケーションがＩＰｖ４アドレスを要求し、前記判断されたインターネットプロトコルアドレスがＩＰｖ６アドレスであり、前記ＩＰｖ４アドレスを保持するための手段をさらに備える、請求項１に記載の装置。
【請求項４】
廃棄すべきインターネットプロトコルアドレスを判断するための前記手段は、前記データ接続を要求するアプリケーションがインターネットプロトコルアドレスタイプをも要求したと判断するための手段を備え、前記データ接続を要求する前記アプリケーションがＩＰｖ６アドレスを要求し、前記判断されたインターネットプロトコルアドレスがＩＰｖ４アドレスであり、前記ＩＰｖ６アドレスを保持するための手段をさらに備える、請求項１に記載の装置。
【請求項５】
廃棄すべきインターネットプロトコルアドレスを判断するための前記手段が、
前記データ接続を要求するアプリケーションがインターネットプロトコルアドレスタイプを要求しなかったと判断するための手段と、
事業者が保持されるべきＩＰｖ４を指定していると判断するための手段であって、前記判断されたインターネットプロトコルアドレスがＩＰｖ６アドレスである、判断するための手段と、
前記ＩＰｖ４アドレスを保持するための手段と
を備える、請求項１に記載の装置。
【請求項６】
廃棄すべきインターネットプロトコルアドレスを判断するための前記手段が、
前記データ接続を要求するアプリケーションがインターネットプロトコルアドレスタイプを要求しなかったと判断するための手段と、
事業者が保持されるべきＩＰｖ６を指定していると判断するための手段であって、前記判断されたインターネットプロトコルアドレスがＩＰｖ４アドレスである、判断するための手段と、
前記ＩＰｖ６アドレスを保持するための手段と
を備える、請求項１に記載の装置。
【請求項７】
前記装置が前記第１のインターネットプロトコルアドレスと前記第２のインターネットプロトコルアドレスの両方を処理することが現在可能でないと判断するための前記手段が、第１の無線アクセス技術におけるアクセスポイント名から第２の無線アクセス技術における前記アクセスポイント名に切り替わるための手段を備え、前記装置は、前記第１のインターネットプロトコルアドレスと前記第２のインターネットプロトコルアドレスの両方を処理することが前記第１の無線アクセス技術では可能であるが、前記第２の無線アクセス技術では可能でない、請求項１に記載の装置。
【請求項８】
廃棄すべきインターネットプロトコルアドレスを判断するための前記手段は、前記第１のインターネットプロトコルアドレスと前記第２のインターネットプロトコルアドレスとがスロットリングされるかどうかを判断するための手段を備え、前記第１のインターネットプロトコルアドレスと前記第２のインターネットプロトコルアドレスの両方がスロットリングされ、廃棄すべきインターネットプロトコルアドレスを判断するための前記手段は、
スロットリングタイマーが満了するまで前記第１のインターネットプロトコルアドレスと前記第２のインターネットプロトコルアドレスとを阻止するための手段と、
インターネットプロトコルアドレスサービス品質が前記第１のアプリケーションと前記第２のアプリケーションとのために構成されたかどうかを判断するための手段と
をさらに備える、請求項７に記載の装置。
【請求項９】
廃棄すべきインターネットプロトコルアドレスを判断するための前記手段は、前記第１のインターネットプロトコルアドレスと前記第２のインターネットプロトコルアドレスとがスロットリングされるかどうかを判断するための手段を備え、前記第１のインターネットプロトコルアドレスも前記第２のインターネットプロトコルアドレスもスロットリングされず、廃棄すべきインターネットプロトコルアドレスを判断するための前記手段は、インターネットプロトコルアドレスサービス品質が前記第１のアプリケーションと前記第２のアプリケーションとのために構成されたかどうかを判断するための手段を備える、請求項７に記載の装置。
【請求項１０】
前記インターネットプロトコルアドレスサービス品質が前記第１のアプリケーションと前記第２のアプリケーションのいずれのためにも構成されず、廃棄すべきインターネットプロトコルアドレスを判断するための前記手段は、前記第１のアプリケーションの非アクティビティ時間と前記第２のアプリケーションの非アクティビティ時間とが両方とも非アクティビティしきい値よりも大きいかどうかを判断するための手段をさらに備える、請求項９に記載の装置。
【請求項１１】
前記インターネットプロトコルアドレスサービス品質が前記第１のアプリケーションと前記第２のアプリケーションの両方のために構成され、廃棄すべきインターネットプロトコルアドレスを判断するための前記手段は、前記第１のアプリケーションの非アクティビティ時間と前記第２のアプリケーションの非アクティビティ時間とが両方とも非アクティビティしきい値よりも大きいかどうかを判断するための手段をさらに備える、請求項９に記載の装置。
【請求項１２】
前記第１のアプリケーションの前記非アクティビティ時間と前記第２のアプリケーションの前記非アクティビティ時間とが両方とも前記非アクティビティしきい値よりも大きく、廃棄すべきインターネットプロトコルアドレスを判断するための前記手段は、事業者が保持されるべきインターネットプロトコルアドレスタイプを指定しているかどうかを判断するための手段をさらに備える、請求項１１に記載の装置。
【請求項１３】
前記事業者が保持されるべきＩＰｖ４を指定しており、廃棄すべき前記判断されたインターネットプロトコルアドレスがＩＰｖ６アドレスであり、前記ＩＰｖ４アドレスを保持するための手段をさらに備える、請求項１２に記載の装置。
【請求項１４】
前記事業者が保持されるべきＩＰｖ６を指定しており、廃棄すべき前記判断されたインターネットプロトコルアドレスがＩＰｖ４アドレスであり、前記ＩＰｖ６アドレスを保持するための手段をさらに備える、請求項１２に記載の装置。
【請求項１５】
前記事業者が保持されるべきインターネットプロトコルアドレスタイプを指定しておらず、廃棄すべき前記判断されたインターネットプロトコルアドレスがＩＰｖ４アドレスであり、ＩＰｖ６アドレスを保持するための手段をさらに備える、請求項１２に記載の装置。
【請求項１６】
前記第１のアプリケーションの前記非アクティビティ時間と前記第２のアプリケーションの前記非アクティビティ時間とが両方とも前記非アクティビティしきい値以下であり、廃棄すべきインターネットプロトコルアドレスを判断するための前記手段は、どのアプリケーションがデータ転送に最も最近関与したかを判断するための手段をさらに備え、前記第１のアプリケーションがデータ転送に最も最近関与し、前記第２のインターネットプロトコルアドレスが、廃棄すべき前記判断されたインターネットプロトコルアドレスである、請求項１１に記載の装置。
【請求項１７】
前記第１のアプリケーションの前記非アクティビティ時間と前記第２のアプリケーションの前記非アクティビティ時間とが両方とも前記非アクティビティしきい値以下であり、廃棄すべきインターネットプロトコルアドレスを判断するための前記手段は、どのアプリケーションがデータ転送に最も最近関与したかを判断するための手段をさらに備え、前記第２のアプリケーションがデータ転送に最も最近関与し、前記第１のインターネットプロトコルアドレスが、廃棄すべき前記判断されたインターネットプロトコルアドレスである、請求項１１に記載の装置。
【請求項１８】
前記インターネットプロトコルアドレスサービス品質が前記第１のアプリケーションのみのために構成され、前記第２のインターネットプロトコルアドレスが、廃棄すべき前記判断されたインターネットプロトコルアドレスである、請求項８に記載の装置。
【請求項１９】
前記インターネットプロトコルアドレスサービス品質が前記第２のアプリケーションのみのために構成され、前記第１のインターネットプロトコルアドレスが、廃棄すべき前記判断されたインターネットプロトコルアドレスである、請求項８に記載の装置。
【請求項２０】
前記装置が前記第１の無線アクセス技術から前記第２の無線アクセス技術に切り替わるとき、ドロップされたインターネットプロトコルアドレスタイマーを開始するための手段と、
廃棄すべき前記判断されたインターネットプロトコルアドレスを記憶するための手段と、
前記装置が前記ドロップされたインターネットプロトコルアドレスタイマーの満了より前にソース無線アクセス技術に戻った場合、廃棄すべき前記判断されたインターネットプロトコルアドレスを再利用するための手段と
をさらに備える、請求項１１に記載の装置。
【請求項２１】
ワイヤレス通信デバイスによって動作可能な方法であって、
ネットワークへのデータ接続のために第１のアプリケーションのための第１のタイプの第１のインターネットプロトコルアドレスと第２のアプリケーションのための第２のタイプの第２のインターネットプロトコルアドレスとの割当てを受信することと、
前記ワイヤレス通信デバイスが前記第１のインターネットプロトコルアドレスと前記第２のインターネットプロトコルアドレスの両方を処理することが現在可能でないと判断することと、
廃棄すべきインターネットプロトコルアドレスを判断することと、
前記判断されたインターネットプロトコルアドレスを廃棄することと
を備える、方法。
【請求項２２】
前記データ接続がパケットデータネットワーク接続であり、前記ネットワークがアクセスポイント名であり、前記第１のインターネットプロトコルアドレスがＩＰｖ４アドレスであり、前記第２のインターネットプロトコルアドレスがＩＰｖ６アドレスであり、第１の無線アクセス技術がＬｏｎｇ  Ｔｅｒｍ  Ｅｖｏｌｕｔｉｏｎであり、第２の無線アクセス技術が発展型高速パケットデータである、請求項２１に記載の方法。
【請求項２３】
廃棄すべきインターネットプロトコルアドレスを判断することは、前記データ接続を要求するアプリケーションがインターネットプロトコルアドレスタイプをも要求したと判断することを備え、前記データ接続を要求する前記アプリケーションがＩＰｖ４アドレスを要求し、前記判断されたインターネットプロトコルアドレスがＩＰｖ６アドレスであり、前記ＩＰｖ４アドレスを保持することをさらに備える、請求項２１に記載の方法。
【請求項２４】
廃棄すべきインターネットプロトコルアドレスを判断することは、前記データ接続を要求するアプリケーションがインターネットプロトコルアドレスタイプをも要求したと判断することを備え、前記データ接続を要求する前記アプリケーションがＩＰｖ６アドレスを要求し、前記判断されたインターネットプロトコルアドレスがＩＰｖ４アドレスであり、前記ＩＰｖ６アドレスを保持することをさらに備える、請求項２１に記載の方法。
【請求項２５】
廃棄すべきインターネットプロトコルアドレスを判断することが、
前記データ接続を要求するアプリケーションがインターネットプロトコルアドレスタイプを要求しなかったと判断することと、
事業者が保持されるべきＩＰｖ４を指定していると判断することであって、前記判断されたインターネットプロトコルアドレスがＩＰｖ６アドレスである、判断することと、
前記ＩＰｖ４アドレスを保持することと
を備える、請求項２１に記載の方法。
【請求項２６】
廃棄すべきインターネットプロトコルアドレスを判断することが、
前記データ接続を要求するアプリケーションがインターネットプロトコルアドレスタイプを要求しなかったと判断することと、
事業者が保持されるべきＩＰｖ６を指定していると判断することであって、前記判断されたインターネットプロトコルアドレスがＩＰｖ４アドレスである、判断することと、
前記ＩＰｖ６アドレスを保持することと
を備える、請求項２１に記載の方法。
【請求項２７】
前記装置が前記第１のインターネットプロトコルアドレスと前記第２のインターネットプロトコルアドレスの両方を処理することが現在可能でないと判断することが、第１の無線アクセス技術におけるアクセスポイント名から第２の無線アクセス技術における前記アクセスポイント名に切り替わることを備え、前記装置は、前記第１のインターネットプロトコルアドレスと前記第２のインターネットプロトコルアドレスの両方を処理することが前記第１の無線アクセス技術では可能であるが、前記第２の無線アクセス技術では可能でない、請求項２１に記載の方法。
【請求項２８】
廃棄すべきインターネットプロトコルアドレスを判断することは、前記第１のインターネットプロトコルアドレスと前記第２のインターネットプロトコルアドレスとがスロットリングされるかどうかを判断することを備え、前記第１のインターネットプロトコルアドレスと前記第２のインターネットプロトコルアドレスの両方がスロットリングされ、廃棄すべきインターネットプロトコルアドレスを判断することは、
スロットリングタイマーが満了するまで前記第１のインターネットプロトコルアドレスと前記第２のインターネットプロトコルアドレスとを阻止することと、
インターネットプロトコルアドレスサービス品質が前記第１のアプリケーションと前記第２のアプリケーションとのために構成されたかどうかを判断することと
をさらに備える、請求項２７に記載の方法。
【請求項２９】
廃棄すべきインターネットプロトコルアドレスを判断することは、前記第１のインターネットプロトコルアドレスと前記第２のインターネットプロトコルアドレスとがスロットリングされるかどうかを判断することを備え、前記第１のインターネットプロトコルアドレスも前記第２のインターネットプロトコルアドレスもスロットリングされず、廃棄すべきインターネットプロトコルアドレスを判断することは、インターネットプロトコルアドレスサービス品質が前記第１のアプリケーションと前記第２のアプリケーションとのために構成されたかどうかを判断することを備える、請求項２７に記載の方法。
【請求項３０】
前記インターネットプロトコルアドレスサービス品質が前記第１のアプリケーションと前記第２のアプリケーションのいずれのためにも構成されず、廃棄すべきインターネットプロトコルアドレスを判断することは、前記第１のアプリケーションの非アクティビティ時間と前記第２のアプリケーションの非アクティビティ時間とが両方とも非アクティビティしきい値よりも大きいかどうかを判断することをさらに備える、請求項２９に記載の方法。
【請求項３１】
前記インターネットプロトコルアドレスサービス品質が前記第１のアプリケーションと前記第２のアプリケーションの両方のために構成され、廃棄すべきインターネットプロトコルアドレスを判断することは、前記第１のアプリケーションの非アクティビティ時間と前記第２のアプリケーションの非アクティビティ時間とが両方とも非アクティビティしきい値よりも大きいかどうかを判断することをさらに備える、請求項２９に記載の方法。
【請求項３２】
前記第１のアプリケーションの前記非アクティビティ時間と前記第２のアプリケーションの前記非アクティビティ時間とが両方とも前記非アクティビティしきい値よりも大きく、廃棄すべきインターネットプロトコルアドレスを判断することは、事業者が保持されるべきインターネットプロトコルアドレスタイプを指定しているかどうかを判断することをさらに備える、請求項３１に記載の方法。
【請求項３３】
前記事業者が保持されるべきＩＰｖ４を指定しており、廃棄すべき前記判断されたインターネットプロトコルアドレスがＩＰｖ６アドレスであり、前記ＩＰｖ４アドレスを保持することをさらに備える、請求項３２に記載の方法。
【請求項３４】
前記事業者が保持されるべきＩＰｖ６を指定しており、廃棄すべき前記判断されたインターネットプロトコルアドレスがＩＰｖ４アドレスであり、前記ＩＰｖ６アドレスを保持することをさらに備える、請求項３２に記載の方法。
【請求項３５】
前記事業者が保持されるべきインターネットプロトコルアドレスタイプを指定しておらず、廃棄すべき前記判断されたインターネットプロトコルアドレスがＩＰｖ４アドレスであり、ＩＰｖ６アドレスを保持することをさらに備える、請求項３２に記載の方法。
【請求項３６】
前記第１のアプリケーションの前記非アクティビティ時間と前記第２のアプリケーションの前記非アクティビティ時間とが両方とも前記非アクティビティしきい値以下であり、廃棄すべきインターネットプロトコルアドレスを判断することは、どのアプリケーションがデータ転送に最も最近関与したかを判断することをさらに備え、前記第１のアプリケーションがデータ転送に最も最近関与し、前記第２のインターネットプロトコルアドレスが、廃棄すべき前記判断されたインターネットプロトコルアドレスである、請求項３１に記載の方法。
【請求項３７】
前記第１のアプリケーションの前記非アクティビティ時間と前記第２のアプリケーションの前記非アクティビティ時間とが両方とも前記非アクティビティしきい値以下であり、廃棄すべきインターネットプロトコルアドレスを判断することは、どのアプリケーションがデータ転送に最も最近関与したかを判断することをさらに備え、前記第２のアプリケーションがデータ転送に最も最近関与し、前記第１のインターネットプロトコルアドレスが、廃棄すべき前記判断されたインターネットプロトコルアドレスである、請求項３１に記載の方法。
【請求項３８】
前記インターネットプロトコルアドレスサービス品質が前記第１のアプリケーションのみのために構成され、前記第２のインターネットプロトコルアドレスが、廃棄すべき前記判断されたインターネットプロトコルアドレスである、請求項２８に記載の方法。
【請求項３９】
前記インターネットプロトコルアドレスサービス品質が前記第２のアプリケーションのみのために構成され、前記第１のインターネットプロトコルアドレスが、廃棄すべき前記判断されたインターネットプロトコルアドレスである、請求項２８に記載の方法。
【請求項４０】
前記装置が前記第１の無線アクセス技術から前記第２の無線アクセス技術に切り替わるとき、ドロップされたインターネットプロトコルアドレスタイマーを開始することと、
廃棄すべき前記判断されたインターネットプロトコルアドレスを記憶することと、
前記装置が前記ドロップされたインターネットプロトコルアドレスタイマーの満了より前にソース無線アクセス技術に戻った場合、廃棄すべき前記判断されたインターネットプロトコルアドレスを再利用することと
をさらに備える、請求項３１に記載の方法。
【請求項４１】
通信システムにおいて動作可能なコンピュータプログラムであって、
装置に、ネットワークへのデータ接続のために第１のアプリケーションのための第１のタイプの第１のインターネットプロトコルアドレスと第２のアプリケーションのための第２のタイプの第２のインターネットプロトコルアドレスとの割当てを受信させるためのコードと、
前記装置に、前記装置が前記第１のインターネットプロトコルアドレスと前記第２のインターネットプロトコルアドレスの両方を処理することが現在可能でないと判断させるためのコードと、
前記装置に、廃棄すべきインターネットプロトコルアドレスを判断させるためのコードと、
前記装置に、前記判断されたインターネットプロトコルアドレスを廃棄させるためのコードと
を備える、コンピュータプログラム。
【発明の詳細な説明】
【技術分野】
【０００１】
[関連出願の相互参照]
本出願は、参照により本明細書に組み込まれる、２０１０年３月３１日に出願された「Single and Dual IP Bearer Support across eHRPD and LTE」と題する、米国仮出願第６１／３１９，７５０号に関し、その優先権を主張する。
【０００２】
[技術分野]
本開示は、一般に電子通信に関する。より詳細には、本開示は、シングルおよびデュアルＩＰベアラサポート(bearer support)のためのシステムおよび方法に関する。
【背景技術】
【０００３】
[背景]
電子技術の進歩は、ますます複雑で有用になる電子デバイスのコストを低減した。コスト低減および消費者需要により、電子デバイスが現代社会において事実上ユビキタス(ubiquitous)であるほど電子デバイスの使用が激増した。電子デバイスの使用が拡大するにつれて、電子デバイスの新しい改善された特徴に対する需要も拡大した。より詳細には、より高速に、より効率的に、またはより高品質で機能を実行する電子デバイスがしばしば求められる。
【０００４】
一部の電子デバイス（たとえば、セルラー電話、スマートフォン、コンピュータなど）は他の電子デバイスと通信する。たとえば、ワイヤレス通信デバイス（たとえば、セルラー電話、スマートフォンなど）は基地局とワイヤレスに通信し得、その逆も同様である。これは、ワイヤレス通信デバイスがボイス、ビデオ、データなどにアクセスし、および／またはそれらを通信することを可能にし得る。
【０００５】
一部の電子デバイスは、複数の異なる技術を使用して通信することが可能である。（異なる基地局などから）別の技術が利用可能になったとき、または（より高いデータ転送レートの必要など）状況により切替えが許されるとき、これらの電子デバイスは、使用される技術を切り替え得る。これらの電子デバイスは、そのような切替えが行われるとき、使用される通信設定を調整する必要があり得る。この説明からわかるように、電子デバイスの切替え機能を改善するシステムおよび方法が有益であり得る。
【図面の簡単な説明】
【０００６】
【図１】ワイヤレス通信システムの一構成を示すブロック図。
【図２】ＩＰアドレスを廃棄する(discard)ための方法の流れ図。
【図３】ユーザ機器（ＵＥ）と、ユーザ機器（ＵＥ）がデータサービスおよび／またはボイスサービスのために利用し得るコアネットワークとの間の様々なタイプの接続性を示すブロック図。
【図４】ＩＰアドレスを廃棄するための別の方法の流れ図。
【図５】発展型高速パケットデータ（ｅＨＲＰＤ：evolved High Rate Packet Data）のためのネットワークアーキテクチャを示すブロック図。
【図６】ワイヤレス通信デバイスとパケットデータネットワークゲートウェイ（ＰＤＮ−ＧＷ：Packet Data Network Gateway）との間のパケットデータネットワーク（ＰＤＮ：Packet Data Network）接続のセットアップを示すコールフロー図。
【図７】デュアルＩＰベアラ（または、同じアクセスポイント名（ＡＰＮ：access point name）に対する２つのシングルＩＰベアラ）をサポートしない無線アクセス技術（ＲＡＴ：radio access technology）に移行した後にＩＰアドレスを廃棄するための方法の流れ図。
【図８】単一のプロキシモバイルＩＰ（ＰＭＩＰ：Proxy Mobile IP）トンネルにマッピングされたＩＰｖ４およびＩＰｖ６ベアラを示すブロック図。
【図９】ワイヤレス通信デバイスがパケットデータネットワーク（ＰＤＮ;Packet Data Network）接続ごとにただ１つのＩＰアドレスをサポートする機能を広告するための方法の流れ図。
【図１０】本明細書で説明するデュアルＩＰベアラドロップ方法(dual-IP bearer dropping)を実行するための装置のハードウェア実装形態の一部を示す図。
【図１１】本明細書で説明するデュアルＩＰベアラ命名方法を実行するための装置のハードウェア実装形態の一部を示す図。
【発明を実施するための形態】
【０００７】
[詳細な説明]
本明細書で開示するシステムおよび方法は、ＩＰアドレスを廃棄するワイヤレス通信デバイスについて説明する。ワイヤレス通信デバイスは、ネットワークとの複数のデータ接続を確立し得る。データ接続ごとに、ネットワークは、第１のタイプ（たとえばＩＰｖ４）の第１のＩＰアドレスと、第２のタイプ（たとえばＩＰｖ６）の第２のＩＰアドレスとを割り当て得る。第１のＩＰアドレスは、特定のデータ接続を必要とし、第１のＩＰタイプを処理することが可能である、第１のアプリケーションに割り当てられ得、第２のＩＰアドレスは、同じデータ接続を必要とし、第２のＩＰタイプを処理することが可能である、第２のアプリケーションに割り当てられ得る。ワイヤレス通信デバイスは、ＩＰタイプのうちの１つをまったくサポートすることができないと判断するか、または両方のＩＰタイプを単一のデータ接続上で同時にサポートすることができないと判断し得る。したがって、ＩＰアドレスのうちの１つは廃棄されなければならない。たとえば、ワイヤレス通信デバイスは、Ｌｏｎｇ  Ｔｅｒｍ  Ｅｖｏｌｕｔｉｏｎ（ＬＴＥ）から発展型高速パケットデータ（ｅＨＲＰＤ）に移動し、発展型高速パケットデータ（ｅＨＲＰＤ）では複数のＩＰアドレスをサポートすることができないことがある。Ｌｏｎｇ  Ｔｅｒｍ  Ｅｖｏｌｕｔｉｏｎ（ＬＴＥ）ワイヤレス通信デバイスおよび発展型高速パケットデータ（ｅＨＲＰＤ）ワイヤレス通信デバイスは、それらが異なるパケットデータネットワーク（ＰＤＮ）接続に関連する場合、２つ以上のＩＰアドレスをサポートすることが可能になる。ワイヤレス通信デバイスは、どのＩＰアドレスを廃棄すべきか（したがって、どのＩＰアドレスを保持すべきか）を判断し得る。次いで、ワイヤレス通信デバイスは、それが廃棄すべきと判断したＩＰアドレスを廃棄し得る。これは、ワイヤレス通信デバイスが適切なＩＰアドレスを保ち、あいまいさを回避することを可能にする。
【０００８】
以下の説明では、簡潔性および明暸性の理由で、Ｉｎｔｅｒｎａｔｉｏｎａｌ  Ｔｅｌｅｃｏｍｍｕｎｉｃａｔｉｏｎ  Ｕｎｉｏｎ（ＩＴＵ）によって３ｒｄ  Ｇｅｎｅｒａｔｉｏｎ  Ｐａｒｔｎｅｒｓｈｉｐ  Ｐｒｏｊｅｃｔ（３ＧＰＰ）の下で公表されたＬＴＥ規格に関連する用語を使用する。本発明は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）などに関係する技術およびその関連規格など、他の技術にも適用可能であることに留意されたい。異なる技術に関連する用語は異なることがある。たとえば、考察する技術に応じて、ワイヤレスデバイスは、ほんのいくつかの例を挙げれば、ユーザ機器（ＵＥ）、移動局、モバイル端末、加入者ユニット、アクセス端末などと時々呼ばれることがある。同様に、基地局は、アクセスポイント、ノードＢ、発展型ノードＢ（ｅＮＢ）などと時々呼ばれることがある。適用可能なとき、異なる用語が異なる技術に適用されることに留意されたい。
【０００９】
３ｒｄ  Ｇｅｎｅｒａｔｉｏｎ  Ｐａｒｔｎｅｒｓｈｉｐ  Ｐｒｏｊｅｃｔ（３ＧＰＰ）は、グローバルに適用可能な第３世代（３Ｇ）モバイルフォン仕様を定義することを目的とする電気通信協会のグループ間のコラボレーションである。３ＧＰＰ  Ｌｏｎｇ  Ｔｅｒｍ  Ｅｖｏｌｕｔｉｏｎ（ＬＴＥ）は、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）モバイルフォン規格を改善することを目的とした３ＧＰＰプロジェクトである。３ＧＰＰは、次世代のモバイルネットワーク、モバイルシステムおよびモバイルデバイスのための仕様を定義し得る。３ＧＰＰ  Ｌｏｎｇ  Ｔｅｒｍ  Ｅｖｏｌｕｔｉｏｎ（ＬＴＥ）では、移動局またはデバイスは、「ユーザ機器」（ＵＥ）と呼ばれることがある。
【００１０】
次に、図を参照しながら様々な構成について説明する。同様の参照符号は機能的に同様の要素を示し得る。本明細書で概して説明し、図に示すシステムおよび方法は、多種多様な異なる構成で構成および設計され得る。したがって、図に表されるいくつかの構成についての以下のより詳細な説明は、請求する範囲を限定するものではなく、システムおよび方法を代表するものにすぎない。
【００１１】
図１は、ワイヤレス通信システム１００の一構成を示すブロック図である。ワイヤレス通信システム１００は、ボイス、データなど、様々なタイプの通信コンテンツを提供するために広く展開されている。ワイヤレスシステム（たとえば、多元接続システム）における通信は、ワイヤレスリンクを介した送信によって達成され得る。そのような通信リンクは、単入力単出力（ＳＩＳＯ）、多入力単出力（ＭＩＳＯ）または多入力多出力（ＭＩＭＯ）システムを介して確立され得る。ＭＩＭＯシステムは、それぞれ、データ伝送のための複数（ＮＴ）個の送信アンテナと複数（ＮＲ）個の受信アンテナとを装備した、（１つまたは複数の）送信機と（１つまたは複数の）受信機とを含む。ＳＩＳＯシステムおよびＭＩＳＯシステムは、ＭＩＭＯシステムの特定の例である。複数の送信アンテナおよび受信アンテナによって生成された追加の次元数が利用された場合、ＭＩＭＯシステムは、改善されたパフォーマンス（たとえば、より高いスループット、より大きい容量、または改善された信頼性）を与えることができる。
【００１２】
ワイヤレス通信システム１００はＭＩＭＯを利用し得る。ＭＩＭＯシステムは、時分割複信（ＴＤＤ）システムと周波数分割複信（ＦＤＤ）システムの両方をサポートし得る。ＴＤＤシステムでは、アップリンク送信とダウンリンク送信とが同じ周波数領域上で行われるので、相反定理によりアップリンクチャネルからのダウンリンクチャネルの推定が可能である。これにより、送信ワイヤレスデバイスは、その送信ワイヤレスデバイスが受信した通信から送信ビームフォーミング利得を抽出することが可能になる。
【００１３】
ワイヤレス通信システム１００は、利用可能なシステムリソース（たとえば、帯域幅および送信電力）を共有することによって複数のワイヤレス通信デバイス１０４との通信をサポートすることが可能な多元接続システムであり得る。そのような多元接続システムの例には、符号分割多元接続（ＣＤＭＡ）システム、広帯域符号分割多元接続（Ｗ−ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、３ｒｄ  Ｐａｒｔｎｅｒｓｈｉｐ  Ｐｒｏｊｅｃｔ（３ＧＰＰ）Ｌｏｎｇ  Ｔｅｒｍ  Ｅｖｏｌｕｔｉｏｎ（ＬＴＥ）システム、および空間分割多元接続（ＳＤＭＡ）システムがある。
【００１４】
「ネットワーク」および「システム」という用語は、しばしば互換的に使用される。ＣＤＭＡネットワークは、ユニバーサル地上波無線アクセス（ＵＴＲＡ）、ｃｄｍａ２０００などの無線技術を実装し得る。ＵＴＲＡは、Ｗ−ＣＤＭＡおよび低チップレート（ＬＣＲ）を含み、ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡネットワークは、発展型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭＡなどの無線技術を実装し得る。ＵＴＲＡ、Ｅ−ＵＴＲＡおよびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬｏｎｇ  Ｔｅｒｍ  Ｅｖｏｌｕｔｉｏｎ（ＬＴＥ）は、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。明快のために、本技法のいくつかの態様については、以下でＬｏｎｇ  Ｔｅｒｍ  Ｅｖｏｌｕｔｉｏｎ（ＬＴＥ）に関して説明し、他の態様については、以下で発展型高速パケットデータ（ｅＨＲＰＤ）に関して説明し、以下の説明では、Ｌｏｎｇ  Ｔｅｒｍ  Ｅｖｏｌｕｔｉｏｎ（ＬＴＥ）用語と発展型高速パケットデータ（ｅＨＲＰＤ）用語の両方を使用する。
【００１５】
ワイヤレス通信システム１００はワイヤレス通信デバイス１０４を含み得る。ワイヤレス通信デバイス１０４は、端末、アクセス端末（ＡＴ）、ユーザ機器（ＵＥ）、加入者ユニット、局などと呼ばれることがあり、それらの機能の一部または全部を含み得る。概して、拡張パケットコア（ＥＰＣ：Enhanced Packet Core）ネットワーク（すなわち、発展型高速パケットデータ（ｅＨＲＰＤ）技術とＬｏｎｇ  Ｔｅｒｍ  Ｅｖｏｌｕｔｉｏｎ（ＬＴＥ）技術とをサポートするコアネットワーク）に接続することが可能であるワイヤレス通信デバイス１０４は、ユーザ機器（ＵＥ）または拡張アクセス端末（ｅＡＴ：enhanced access terminal）と呼ばれることがある。１ｘまたは高速パケットデータ（ＨＲＰＤ）などのレガシー３ＧＰＰ２ネットワークに接続することのみが可能であり、拡張パケットコア（ＥＰＣ）ネットワークへの接続が可能でないワイヤレス通信デバイス１０４は、アクセス端末（ＡＴ）と呼ばれることがある。ユーザ機器（ＵＥ）は、レガシー１ｘ／ＨＲＰＤネットワークに接続することも可能であり得る。本明細書で使用するワイヤレス通信デバイス１０４という用語は、ユーザ機器（ＵＥ）または拡張アクセス端末（ｅＡＴ）のいずれかを指す。
【００１６】
拡張パケットコア（ＥＰＣ）技術に関して、ワイヤレス通信デバイス１０４は、発展型高速パケットデータ（ｅＨＲＰＤ）専用デバイス、Ｌｏｎｇ  Ｔｅｒｍ  Ｅｖｏｌｕｔｉｏｎ（ＬＴＥ）専用デバイス、または発展型高速パケットデータ（ｅＨＲＰＤ）およびＬｏｎｇ  Ｔｅｒｍ  Ｅｖｏｌｕｔｉｏｎ（ＬＴＥ）デバイスの、３つのタイプのうちの１つであり得る。ワイヤレス通信デバイス１０４は、異なる無線アクセス技術（ＲＡＴ）１０６ａ〜ｂを介してアクセスポイント名（ＡＰＮ）１３８からサービスを取得する能力を有し得る。ワイヤレス通信デバイス１０４は、複数のアクセスポイント名（ＡＰＮ）１３８からサービスを取得し得る。ワイヤレス通信デバイス１０４は、アクセスポイント名（ＡＰＮ）１３８とのＩＰ接続を維持しながら、ソース無線アクセス技術（ＲＡＴ）１０６ａからターゲット無線アクセス技術（ＲＡＴ）１０６ｂに切り替わり得る。
【００１７】
ワイヤレス通信デバイス１０４は高度モバイル加入者ソフトウェア（ＡＭＳＳ：Advanced Mobile Subscriber Software）１０８を含み得る。高度モバイル加入者ソフトウェア（ＡＭＳＳ）１０８は、すべてのサポートされた技術のためのオペレーティングシステム、データおよびネットワークプロトコルスタックと、デバイスドライバと、ボイスおよびデータ呼をセットアップし、管理するための制御ソフトウェアとを含む、ワイヤレス通信デバイス１０４上で実行しているシステムソフトウェアを指す。高度モバイル加入者ソフトウェア（ＡＭＳＳ）１０８は、ネットワークアクセスシステムとのデータ呼をセットアップし、維持することにおいてアプリケーション１１２ａ〜ｂを支援し得る。高度モバイル加入者ソフトウェア（ＡＭＳＳ）１０８はまた、パケットデータ呼が失敗したときにアプリケーション１１２に通知し得る。
【００１８】
ワイヤレス通信デバイス１０４は、第１のアプリケーション１１２ａと第２のアプリケーション１１２ｂとを含み得る。ワイヤレス通信デバイス１０４上のアプリケーション１１２は、現在の無線アクセス技術（ＲＡＴ）１０６を使用して、アクセスポイント名（ＡＰＮ）１３８との（本明細書では、パケットデータネットワーク（ＰＤＮ）接続１１０ａ〜ｂと呼ぶ）パケットデータ呼を発信するように高度モバイル加入者ソフトウェア（ＡＭＳＳ）１０８をトリガし得る。パケットデータネットワーク（ＰＤＮ）接続１１０をセットアップするときに、ネットワークは、ワイヤレス通信デバイス１０４にＩＰアドレス１１４ａ〜ｂを割り当て得る。次いで、ワイヤレス通信デバイス１０４は、ＩＰアドレス１１４を、そのパケットデータネットワーク（ＰＤＮ）接続１１０とＩＰタイプ１１６とを使用した接続性を必要とするアプリケーションに与え得る。各ＩＰアドレス１１４はＩＰアドレスタイプ１１６ａ〜ｂを有し得る。たとえば、ＩＰアドレス１１４は、ＩＰｖ４またはＩＰｖ６のタイプ１１６ａ〜ｂを有し得る。ネットワークは、アプリケーション１１２がどのＩＰタイプ１１６を希望するかを知らない。パケットデータネットワーク（ＰＤＮ）接続１１０を使用することを希望し、特定のＩＰタイプ１１６を希望する複数のアプリケーション１１２は、そのＩＰタイプ１１６をもつＩＰアドレス１１４を共有することができる。一例として、ＩＰｖ４を希望する２つのアプリケーション１１２は、パケットデータネットワーク（ＰＤＮ）接続１１０上でＩＰｖ４アドレスを共有することができる（これは、ＩＰｖ６アドレスにも適用する）。
【００１９】
ワイヤレス通信デバイス１０４によって要求されるサービスの機能およびタイプと、アクセスポイント名（ＡＰＮ）１３８によって提供されるサービスの機能およびタイプとに応じて、ワイヤレス通信デバイス１０４は、１つのＩＰアドレス１１４または２つのＩＰアドレス１１４を割り当てられ得る。ワイヤレス通信デバイス１０４がただ１つのＩＰアドレス１１４を割り当てられる場合、ＩＰアドレス１１４のタイプ１１６は、ＩＰｖ４またはＩＰｖ６のいずれかであり得る。ワイヤレス通信デバイス１０４が２つのＩＰアドレス１１４を割り当てられる場合、ＩＰアドレス１１４のうちの１つはＩＰｖ４アドレスであり、ＩＰアドレス１１４のうちの１つはＩＰｖ６アドレスである。
【００２０】
ワイヤレス通信デバイス１０４は、ＩＰｖ４のみ、ＩＰｖ６のみ、またはワイヤレス通信デバイス１０４が全体としてＩＰｖ４機能とＩＰｖ６機能の両方を有するようなデュアルＩＰスタック（ＩＰｖ４とＩＰｖ６の両方）が可能であり得る。ワイヤレス通信デバイス１０４は、ワイヤレス通信デバイス１０４の機能が何であるか（すなわち、ＩＰｖ４のみ、ＩＰｖ６のみまたはデュアルＩＰスタック）をネットワークに示し得る。次いで、ネットワークは、ネットワークがワイヤレス通信デバイス１０４に実際に何を使用して欲しいかをワイヤレス通信デバイス１０４に示し得る。これは、ＩＰｖ４のみ、ＩＰｖ６のみ、またはＩＰｖ４とＩＰｖ６の両方であり得る。それがＩＰｖ４のみである場合、単一のＩＰｖ４アドレスがパケットデータネットワーク（ＰＤＮ）接続１１０のためにワイヤレス通信デバイス１０４に割り当てられ得る。それがＩＰｖ６のみである場合、単一のＩＰｖ６アドレスがパケットデータネットワーク（ＰＤＮ）接続１１０のためにワイヤレス通信デバイス１０４に割り当てられ得る。それがＩＰｖ４とＩＰｖ６の両方である場合、ＩＰｖ４アドレスとＩＰｖ６アドレスの２つのＩＰアドレス１１４がワイヤレス通信デバイス１０４に割り当てられ得る。
【００２１】
ワイヤレス通信デバイス１０４に割り当てられた（ＩＰｖ４のみまたはＩＰｖ６のみのいずれかであり、両方ではない）ただ１つのＩＰアドレス１１４を用いて確立されたパケットデータネットワーク（ＰＤＮ）接続１１０は、シングルＩＰベアラと呼ばれることがある。２つのＩＰアドレス１１４（ＩＰｖ４アドレスとＩＰｖ６アドレスの両方）を用いて確立されたパケットデータネットワーク（ＰＤＮ）接続１１０は、デュアルＩＰベアラと呼ばれることがある。したがって、デュアルＩＰベアラは、２つのＩＰアドレス１１４を用いて確立されたパケットデータネットワーク（ＰＤＮ）接続１１０を指し、デュアルＩＰスタックは、ＩＰｖ４アドレスとＩＰｖ６アドレスの両方を処理するためのワイヤレス通信デバイス１０４の機能を指す。ワイヤレス通信デバイス１０４は、ワイヤレス通信デバイス１０４が特定のパケットデータネットワーク（ＰＤＮ）接続１１０に関して何が可能であるかをネットワークに示すことはできるが、ワイヤレス通信デバイス１０４は、ワイヤレス通信デバイス１０４が特定のパケットデータネットワーク（ＰＤＮ）接続１１０のために実際に何を希望するか（たとえば、特定のアクセスポイント名（ＡＰＮ）１３８に接続することを試みているアプリケーション１１２が何を希望するか）をネットワークに示すことはできない。
【００２２】
本明細書で説明するように、ワイヤレス通信デバイス１０４はデュアルＩＰスタックが可能である。アクセスポイント名（ＡＰＮ）１３８に接続することを試みている特定のアプリケーション１１２は、ＩＰｖ４のみを使用することが可能であり得る。アクセスポイント名（ＡＰＮ）１３８がＩＰｖ４のみを使用して接続することが可能である場合、問題はない。アクセスポイント名（ＡＰＮ）１３８は、要求アプリケーション１１２によって使用されるパケットデータネットワーク（ＰＤＮ）接続１１０のためにワイヤレス通信デバイス１０４にＩＰｖ４アドレスのみを割り当て得る。アクセスポイント名（ＡＰＮ）１３８がＩＰｖ６のみが可能である場合、あいまいさはない。アクセスポイント名（ＡＰＮ）１３８は、要求アプリケーション１１２によって使用されるパケットデータネットワーク（ＰＤＮ）接続１１０のためにワイヤレス通信デバイス１０４にＩＰｖ６アドレスを割り当て得る。高度モバイル加入者ソフトウェア（ＡＭＳＳ）１０８は、要求アプリケーション１１２がＩＰｖ４アドレスのみを希望する（割り当てられたＩＰｖ６アドレスを使用することができない）ことを知っているので、（このアクセスポイント名（ＡＰＮ）１３８を使用することを希望する他のアプリケーション１１２がないと仮定すると）ＩＰｖ６アドレスを有しても無駄であり、高度モバイル加入者ソフトウェア（ＡＭＳＳ）１０８はＩＰｖ６アドレスを解放する。
【００２３】
しかしながら、アクセスポイント名（ＡＰＮ）１３８が、ＩＰｖ４とＩＰｖ６の両方が可能であるとき、あいまいさが生じる。これらの場合、ワイヤレス通信デバイス１０４が、パケットデータネットワーク（ＰＤＮ）接続１１０のためにＩＰｖ４とＩＰｖ６の両方をサポートすることが可能であると示しているので、ネットワークは、パケットデータネットワーク（ＰＤＮ）接続１１０のために割り当てるべきＩＰアドレス１１４のタイプ１１６を確信することができない。ネットワークのための唯一の安全なオプションは、ワイヤレス通信デバイス１０４にＩＰｖ４アドレスとＩＰｖ６アドレスの両方を割り当てることである。表１に、ワイヤレス通信デバイス１０４のＩＰアドレス１１４機能と、アプリケーション１１２のＩＰアドレス１１４機能と、対応するネットワーク割当てとの組合せを要約する。
【表１】
0005547334.tif 000002
【００２４】
簡単のために、表１では、パケットデータネットワーク（ＰＤＮ）接続１１０ごとに１つのアプリケーション１１２のみについて考える。「Ｘ」でマークされたセルは無効であるが、あいまいさはない。たとえば、ｖ４専用ワイヤレス通信デバイス１０４（すなわち、ｖ４のみのＩＰアドレス１１４機能をもつ高度モバイル加入者ソフトウェア（ＡＭＳＳ）１０８）は、ｖ６アプリケーション１１２を有しないことになり、高度モバイル加入者ソフトウェア（ＡＭＳＳ）１０８は直ちにエラーをシグナリングするであろう。ワイヤレス通信デバイス１０４はｖ４のみが可能であることを示すが、ネットワークがワイヤレス通信デバイス１０４にｖ６アドレスを割り当てた場合、それも無効である。ネットワークがそのような無効なアドレスを割り当てた場合でも、ワイヤレス通信デバイス１０４は、ＩＰｖ６アドレスを用いたパケットデータネットワーク（ＰＤＮ）接続１１０を処理し得ないので、ただエラーを示し、パケットデータネットワーク（ＰＤＮ）接続１１０をティアダウンするであろう。「？」でマークされたセルは、本明細書で解決される問題（または、あいまいさ）を提示するセルである。
【００２５】
ワイヤレス通信デバイス１０４はデュアルＩＰスタック対応であるにもかかわらず、一部のワイヤレス通信デバイス１０４はシングルＩＰベアラのみが可能である。言い換えれば、高度モバイル加入者ソフトウェア（ＡＭＳＳ）１０８は、ワイヤレス通信デバイス１０４全体としては発展型高速パケットデータ（ｅＨＲＰＤ）に関してＩＰｖ４とＩＰｖ６の両方をサポートすることが可能であり得るが、ベンダー固有ネットワーク制御プロトコル（ＶＳＮＣＰ：Vendor-Specific Network Control Protocol）インスタンスごとには一方または他方のみをサポートすることが可能であり得、両方をサポートすることは可能でない。対照的に、デュアルＩＰベアラをサポートすることが可能であるワイヤレス通信デバイス１０４は、ＩＰｖ４とＩＰｖ６の両方を同時にサポートし得る。さらなる厄介な問題は、デュアルＩＰベアラをサポートすることが、Ｌｏｎｇ  Ｔｅｒｍ  Ｅｖｏｌｕｔｉｏｎ（ＬＴＥ）では可能であるが、発展型高速パケットデータ（ｅＨＲＰＤ）では可能でないワイヤレス通信デバイス１０４があり得ることである。
【００２６】
Ｌｏｎｇ  Ｔｅｒｍ  Ｅｖｏｌｕｔｉｏｎ（ＬＴＥ）では、ワイヤレス通信デバイス１０４は、同じアクセスポイント名（ＡＰＮ）１３８に対して２つのシングルＩＰベアラを有することが可能である。したがって、同じアクセスポイント名（ＡＰＮ）１３８に接続された単一のＩＰアドレス１１４を各々がもつ、パケットデータネットワーク（ＰＤＮ）接続１１０の２つのインスタンスがあり得る。しかしながら、発展型高速パケットデータ（ｅＨＲＰＤ）では、これは、規格の最初の数バージョンでは不可能であった。発展型高速パケットデータ（ｅＨＲＰＤ）のための規格の最新バージョンはこれを可能にする。しかしながら、すでに展開された発展型高速パケットデータ（ｅＨＲＰＤ）ネットワークの大部分は、規格の初期バージョンに基づいて実装されたので、それをサポートしない。本明細書における発展型高速パケットデータ（ｅＨＲＰＤ）ネットワークへの言及は、同じアクセスポイント名（ＡＰＮ）１３８に対する２つのシングルＩＰベアラをサポートせず、したがって、アクセスポイント名（ＡＰＮ）１３８に対するただ１つのパケットデータネットワーク（ＰＤＮ）接続１１０をサポートする発展型高速パケットデータ（ｅＨＲＰＤ）ネットワークである。規格制限ではなくネットワーク／デバイス機能に焦点を当てる場合、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）において同様の問題が発生し得る。
【００２７】
パケットデータネットワーク（ＰＤＮ）接続１１０は、シングルＩＰベアラまたはデュアルＩＰベアラのいずれかとすることができる。上記の表１では、高度モバイル加入者ソフトウェア（ＡＭＳＳ）１０８のデュアルＩＰスタック機能のみについて考えた。表２では、ワイヤレス通信デバイス１０４のデュアルＩＰベアラ機能のときの、ワイヤレス通信デバイス１０４のＩＰアドレス１１４機能と、アプリケーション１１２のＩＰアドレス１１４機能と、対応するネットワーク割当てとの組合せについて考える。レガシー発展型高速パケットデータ（ｅＨＲＰＤ）ワイヤレス通信デバイス１０４はデュアルＩＰベアラ機能をサポートし得ないが、より新しい発展型高速パケットデータ（ｅＨＲＰＤ）ワイヤレス通信デバイス１０４はデュアルＩＰベアラをサポートし得る。
【表２】
0005547334.tif 000003
【００２８】
表２中の「？」でマークされたセルは、本明細書で解決される問題（または、あいまいさ）を提示するセルである。次のステップは、２つの無線アクセス技術（ＲＡＴ）１０６をサポートし、これらの２つの技術間を移行する、マルチメディアデュアルＩＰスタック対応のワイヤレス通信デバイス１０４について考えることである。無線アクセス技術（ＲＡＴ）１０６の例には、Ｌｏｎｇ  Ｔｅｒｍ  Ｅｖｏｌｕｔｉｏｎ（ＬＴＥ）および発展型高速パケットデータ（ｅＨＲＰＤ）がある。異なる技術間での様々な移行を表３に示す。
【表３】
0005547334.tif 000004
【００２９】
表３では、ワイヤレス通信デバイス１０４の機能に対する制限はないと仮定する。しかしながら、ネットワークは、技術に関する事業者のネットワーク機能（たとえば、技術として発展型高速パケットデータ（ｅＨＲＰＤ）が同じアクセスポイント名（ＡＰＮ）１３８に対して２つのシングルＩＰベアラをサポートしない）、ネットワーク機能（たとえば、特定のＨＲＰＤサービングゲートウェイ（ＨＳＧＷ）ベンダーがデュアルＩＰベアラをサポートし得ない）またはリソース考慮事項（たとえば、特定の時間に、ネットワークが、配布するのに十分なＩＰｖ４アドレスを有し得ない）に応じて、ＩＰアドレス１１４を割り当て得る。
【００３０】
ソース無線アクセス技術（ＲＡＴ）１０６ａとターゲット無線アクセス技術（ＲＡＴ）１０６ｂとがまったく同じ方法でＩＰアドレス１１４とＩＰベアラとを割り当てるとき、あいまいさはなく、ワイヤレス通信デバイス１０４は何か特別なことを行う必要はない。これらは、シナリオ０と標示された表３中の対角線のエントリである。しかしながら、ターゲット無線アクセス技術（ＲＡＴ）１０６ｂは、ソース無線アクセス技術（ＲＡＴ）１０６ａと同じ方法でワイヤレス通信デバイス１０４にＩＰアドレス１１４および／またはＩＰベアラを割り当てないことがある。「？」でマークされたセルは、適切なアクションを判断するためにアルゴリズムを使用するようにワイヤレス通信デバイス１０４に要求する問題（または、あいまいさ）を提示するセルである。
【００３１】
シナリオ１と標示された表３中のセルは、ターゲット無線アクセス技術（ＲＡＴ）１０６ｂがワイヤレス通信デバイス１０４に、ソース無線アクセス技術（ＲＡＴ）１０６ａによって割り当てられた単一のＩＰアドレス１１４の反対のタイプ１１６である単一のＩＰアドレス１１４を割り当てるときのものである。シナリオ１は、何らかのエラーがない限り、起こる可能性が低い。しかしながら、シナリオ１が発生したとき、ワイヤレス通信デバイス１０４はそれに対処しなければならない。シナリオ２と標示された表３中のセルは、ソース無線アクセス技術（ＲＡＴ）１０６ａにはシングルＩＰベアラがあったが、ターゲット無線アクセス技術（ＲＡＴ）１０６ｂはワイヤレス通信デバイス１０４に両方のＩＰアドレス１１４をもつデュアルＩＰベアラを割り当てるときのものである。
【００３２】
シナリオ３と標示された表３中のセルは、ソース無線アクセス技術（ＲＡＴ）１０６ａにはシングルＩＰベアラが割り当てられたが、ターゲット無線アクセス技術（ＲＡＴ）１０６ｂはワイヤレス通信デバイス１０４に２つのシングルＩＰベアラ（１つのＩＰｖ４アドレスおよび１つのＩＰｖ６アドレス）を割り当てるときのものである。シナリオ４と標示された表４中のセルは、ソース無線アクセス技術（ＲＡＴ）１０６ａによって（デュアルＩＰベアラ上または２つのシングルＩＰベアラ上のいずれかの）２つのＩＰアドレス１１４が割り当てられたが、ターゲット無線アクセス技術（ＲＡＴ）１０６ｂはただ１つのＩＰアドレス１１４を割り当てるときのものである。シナリオ５と標示された表３中のセルは、ソース無線アクセス技術（ＲＡＴ）１０６ａとターゲット無線アクセス技術（ＲＡＴ）１０６ｂの両方がワイヤレス通信デバイス１０４に２つのＩＰアドレス１１４を割り当てるが、無線アクセス技術（ＲＡＴ）１０６のうちの一方（ソース無線アクセス技術（ＲＡＴ）１０６ａまたはターゲット無線アクセス技術（ＲＡＴ）１０６ｂのいずれか）は単一のデュアルＩＰアドレスベアラを使用し、他方の無線アクセス技術（ＲＡＴ）１０６は２つのシングルＩＰベアラを使用するときのものである。
【００３３】
表４では、ワイヤレス通信デバイス１０４がソース無線アクセス技術（ＲＡＴ）１０６ａからターゲット無線アクセス技術（ＲＡＴ）１０６ｂに移行するときのネットワークビヘイビアに加えて、ワイヤレス通信デバイス１０４のＩＰスタックおよびＩＰベアラの機能について考える。表４は、２つの無線アクセス技術（ＲＡＴ）１０６間を移行しているワイヤレス通信デバイス１０４のためのすべての可能な組合せを含む全体の完全なテーブルである。「？」でマークされたセルは、本明細書で解決される問題（または、あいまいさ）を提示するセルである。興味深いケースは、一方の無線アクセス技術（ＲＡＴ）１０６がデュアルＩＰベアラをサポートし、他方がサポートしないときである。簡単のために、表４では、ワイヤレス通信デバイス１０４が、Ｌｏｎｇ  Ｔｅｒｍ  Ｅｖｏｌｕｔｉｏｎ（ＬＴＥ）ではデュアルＩＰベアラをサポートするが、発展型高速パケットデータ（ｅＨＲＰＤ）ではデュアルＩＰベアラをサポートすることもサポートしないこともあると仮定され得る。その反対も可能であるが、同様の原理が適用するので、それについては明示的に考えない。
【表４】
0005547334.tif 000005
【００３４】
表５では、ワイヤレス通信デバイス１０４がＬｏｎｇ  Ｔｅｒｍ  Ｅｖｏｌｕｔｉｏｎ（ＬＴＥ）無線アクセス技術（ＲＡＴ）１０６から発展型高速パケットデータ（ｅＨＲＰＤ）無線アクセス技術（ＲＡＴ）１０６に移行するときのネットワークビヘイビアに加えて、ワイヤレス通信デバイス１０４のＩＰスタックおよびＩＰベアラの機能について考える。したがって、表５は、上記の表４のより具体的な例である。表５中の「？」でマークされたセルは、本明細書で解決される問題（または、あいまいさ）を提示するセルである。
【表５】
0005547334.tif 000006
【００３５】
表６では、ワイヤレス通信デバイス１０４が発展型高速パケットデータ（ｅＨＲＰＤ）無線アクセス技術（ＲＡＴ）１０６からＬｏｎｇ  Ｔｅｒｍ  Ｅｖｏｌｕｔｉｏｎ（ＬＴＥ）無線アクセス技術（ＲＡＴ）１０６に移行するときのネットワークビヘイビアに加えて、ワイヤレス通信デバイス１０４のＩＰスタックおよびＩＰベアラの機能について考える。したがって、表６は、上記の表４のより具体的な例である。表６中の「？」でマークされたセルは、本明細書で解決される問題（または、あいまいさ）を提示するセルである。
【表６】
0005547334.tif 000007
【００３６】
表７では、ワイヤレス通信デバイス１０４がＬｏｎｇ  Ｔｅｒｍ  Ｅｖｏｌｕｔｉｏｎ（ＬＴＥ）無線アクセス技術（ＲＡＴ）１０６から発展型高速パケットデータ（ｅＨＲＰＤ）無線アクセス技術（ＲＡＴ）１０６に移動し、次いでＬｏｎｇ  Ｔｅｒｍ  Ｅｖｏｌｕｔｉｏｎ（ＬＴＥ）無線アクセス技術（ＲＡＴ）１０６に戻るケースについて考える。表７は、ネットワークがデュアルＩＰアドレス１１４を割り当てるケースのみに焦点を当てる。表７中の「？」でマークされたセルは、本明細書で解決される問題（または、あいまいさ）を提示するセルである。
【表７】
0005547334.tif 000008
【００３７】
表８では、ワイヤレス通信デバイス１０４が発展型高速パケットデータ（ｅＨＲＰＤ）無線アクセス技術（ＲＡＴ）１０６からＬｏｎｇ  Ｔｅｒｍ  Ｅｖｏｌｕｔｉｏｎ（ＬＴＥ）無線アクセス技術（ＲＡＴ）１０６に移動し、次いで発展型高速パケットデータ（ｅＨＲＰＤ）無線アクセス技術（ＲＡＴ）１０６に戻るケースについて考える。表８は、ネットワークがデュアルＩＰアドレスを割り当てるケースのみに焦点を当てる。表８中の「？」でマークされたセルは、本明細書で解決される問題（または、あいまいさ）を提示するセルである。
【表８】
0005547334.tif 000009
【００３８】
したがって、変動するワイヤレス通信デバイス１０４の機能と、アプリケーション１１２の機能と、技術依存性を含むネットワーク割当てとを考慮するとき、ＩＰアドレス１１４の割当てに対処するためのストラテジが必要である。ネットワークは、ワイヤレス通信デバイス１０４が、デュアルＩＰスタックはサポートするが、デュアルＩＰベアラはサポートしないレガシーデバイスであるかどうかに気づいていないので、ネットワークは、ワイヤレス通信デバイス１０４が、パケットデータネットワーク（ＰＤＮ）接続１１０をセットアップすることを試みるときに実際にどんなアドレス割当てを希望するかを見つけ出す手段を有しない。本明細書のシステムおよび方法は、論理的で一貫した方法で上記の表１〜表８中の「？」をアルゴリズムおよびオプションと置き換える。これらのシステムおよび方法は、ワイヤレス通信デバイス１０４内に実装され得る。
【００３９】
ワイヤレス通信デバイス１０４上の各アプリケーション１１２は非アクティビティ時間１１８ａ〜ｂを有し得る。非アクティビティ時間１１８は、アプリケーション１１２がデータ転送に最後に関与してからの時間量を表す。ワイヤレス通信デバイス１０４はまた、非アクティビティしきい値１２０を含み得る。ワイヤレス通信デバイス１０４がソース無線アクセス技術（ＲＡＴ）１０６ａからターゲット無線アクセス技術（ＲＡＴ）１０６ｂに切り替わるとき、ワイヤレス通信デバイス１０４は、第１のアプリケーション１１２ａと第２のアプリケーション１１２ｂの両方が非アクティビティしきい値１２０よりも長く非アクティブである場合と、一方または両方のアプリケーション１１２が非アクティビティしきい値１２０よりも長く非アクティブでない場合とで、既存のパケットデータネットワーク（ＰＤＮ）接続１１０を別様に処理し得る。
【００４０】
ワイヤレス通信デバイス１０４はスロットリングタイマー１２２をさらに含み得る。ワイヤレス通信デバイス１０４がソース無線アクセス技術（ＲＡＴ）１０６ａからターゲット無線アクセス技術（ＲＡＴ）１０６ｂに切り替わるとき、ワイヤレス通信デバイス１０４は、アプリケーション１１２に割り当てられたＩＰアドレス１１４の一方または両方がスロットリング（throttled）される（したがって、実行中のスロットリングタイマー１２２を有する）場合、既存のパケットデータネットワーク（ＰＤＮ）接続１１０を別様に処理し得る。ワイヤレス通信デバイス１０４はまた、ドロップされたＩＰアドレスタイマー１１１を含み得る。ドロップされたＩＰアドレスタイマー１１１は、ワイヤレス通信デバイス１０４がソース無線アクセス技術（ＲＡＴ）１０６ａからターゲット無線アクセス技術（ＲＡＴ）１０６ｂに移動した（したがって、アプリケーション１１２のうちの１つによって使用されるＩＰアドレス１１４のうちの１つをドロップした）ときにワイヤレス通信デバイス１０４によって開始され得る。ドロップされたＩＰアドレスタイマー１１１が満了するまで、ドロップされたＩＰアドレス１１４は、ワイヤレス通信デバイス１０４がソース無線アクセス技術（ＲＡＴ）１０６ａに戻る場合に備えて、ワイヤレス通信デバイス１０４によって記憶され得る。ドロップされたＩＰアドレスタイマー１１１が満了する前にワイヤレス通信デバイス１０４がソース無線アクセス技術（ＲＡＴ）１０６ａに戻らなかった場合、ターゲット無線アクセス技術（ＲＡＴ）１０６ｂにおけるドロップされたＩＰアドレス１１４は、ソース無線アクセス技術（ＲＡＴ）１０６ａにおいてもドロップされたと見なされる。非アクティビティしきい値１２０、スロットリングタイマー１２２およびドロップされたＩＰアドレスタイマー１１１については、図７に関して以下でさらに詳細に説明する。
【００４１】
図２は、ＩＰアドレス１１４を廃棄するための方法２００の流れ図である。方法２００はワイヤレス通信デバイス１０４によって実行され得る。一構成では、方法２００は、ワイヤレス通信デバイス１０４上の高度モバイル加入者ソフトウェア（ＡＭＳＳ）１０８によって実行され得る。ワイヤレス通信デバイス１０４は、複数のＩＰアドレス１１４タイプ１１６をサポートするネットワークへのデータ接続を確立する（２０２）。次いで、ワイヤレス通信デバイス１０４は、第１のタイプ１１６ａの第１のＩＰアドレス１１４ａと第２のタイプ１１６ｂの第２のＩＰアドレス１１４ｂとの割当てを受信する（２０４）。一構成では、第１のＩＰアドレス１１４ａはＩＰｖ４アドレスであり得、第２のＩＰアドレス１１４ｂはＩＰｖ６アドレスであり得る。
【００４２】
ワイヤレス通信デバイス１０４は、ワイヤレス通信デバイス１０４が両方のＩＰアドレス１１４を処理することが現在可能でないと判断する（２０６）。たとえば、ワイヤレス通信デバイス１０４は、ネットワークの構成が、ネットワークがデュアルＩＰベアラ接続をサポートしないようなものである（たとえば、ネットワークが発展型高速パケットデータ（ｅＨＲＰＤ）無線アクセス技術（ＲＡＴ）１０６を使用する）と判断する（２０６）。別の例として、ワイヤレス通信デバイス１０４はデュアルＩＰスタックをサポートしないことがある。さらに別の構成では、ワイヤレス通信デバイス１０４は、デュアルＩＰベアラ接続をサポートするソース無線アクセス技術（ＲＡＴ）１０６ａからデュアルＩＰベアラ接続をサポートしないターゲット無線アクセス技術（ＲＡＴ）１０６ｂに移動していることがある。
【００４３】
ワイヤレス通信デバイス１０４は、どのＩＰアドレス１１４を廃棄すべきかを判断する（２０８）。一構成では、ワイヤレス通信デバイス１０４は、ＩＰアドレス１１４を要求したアプリケーション１１２がＩＰアドレス１１４タイプ１１６を指定したかどうかに基づいて、どのＩＰアドレス１１４を廃棄すべきかを判断する（２０８）。別の構成では、ワイヤレス通信デバイス１０４は、事業者が保持されるべきＩＰアドレス１１４タイプ１１６を指定したかどうかに基づいて、どのＩＰアドレス１１４を廃棄すべきかを判断する（２０８）。アプリケーション１１２も事業者も保持されるべきＩＰアドレス１１４タイプ１１６を指定していない場合、ＩＰｖ４アドレスは不足しており、枯渇しやすいので、ワイヤレス通信デバイス１０４は、常にＩＰｖ４アドレスを廃棄し、ＩＰｖ６アドレスを保持し得る。ワイヤレス通信デバイス１０４は、判断されたＩＰアドレス１１４を廃棄する（２１０）。
【００４４】
図３は、ユーザ機器（ＵＥ）３０４と、ユーザ機器（ＵＥ）３０４がデータサービスおよび／またはボイスサービスのために利用し得るコアネットワーク３９９との間の様々なタイプの接続性を示すブロック図である。図３のユーザ機器（ＵＥ）３０４は、図１のワイヤレス通信デバイス１０４の一構成であり得る。ネットワークアーキテクチャは、発展型高速パケットデータ（ＥＨＲＰＤ）エアリンク３１８と発展型高速パケットデータ（ＥＨＲＰＤ）無線アクセスネットワーク（ＲＡＮ）３２３とを介したコアネットワーク３９９へのデータ接続性を含み得る。発展型高速パケットデータ（ＥＨＲＰＤ）無線アクセスネットワーク（ＲＡＮ）３２３は、ＨＲＰＤサービングゲートウェイ（ＨＳＧＷ）３３３に接続するためにＡ１０インターフェース３２７を採用し得る。ネットワークアーキテクチャはまた、Ｌｏｎｇ  Ｔｅｒｍ  Ｅｖｏｌｕｔｉｏｎ（ＬＴＥ）エアリンク３１９とＬｏｎｇ  Ｔｅｒｍ  Ｅｖｏｌｕｔｉｏｎ（ＬＴＥ）ｅノードＢ３２４とを介したコアネットワーク３９９へのデータ接続性を含み得る。
【００４５】
Ｌｏｎｇ  Ｔｅｒｍ  Ｅｖｏｌｕｔｉｏｎ（ＬＴＥ）ｅノードＢ３２４は、サービングゲートウェイ（ＳＧＷ）３３４に接続するためにＳ１−Ｕインターフェース３２８を採用し得る。ＨＲＰＤサービングゲートウェイ（ＨＳＧＷ）３３３は、Ｓ２Ａインターフェース３３５ａ〜ｃを介して、第１のパケットデータネットワークゲートウェイ（ＰＤＮ−ＧＷ）３３７ａと、第２のパケットデータネットワークゲートウェイ（ＰＤＮ−ＧＷ）３３７ｂと、第３のパケットデータネットワークゲートウェイ（ＰＤＮ−ＧＷ）３３７ｃとに接続し得る。サービングゲートウェイ（ＳＧＷ）３３４は、Ｓ５インターフェース３３６ａ〜ｃを介して、第１のパケットデータネットワークゲートウェイ（ＰＤＮ−ＧＷ）３３７ａと、第２のパケットデータネットワークゲートウェイ（ＰＤＮ−ＧＷ）３３７ｂと、第３のパケットデータネットワークゲートウェイ（ＰＤＮ−ＧＷ）３３７ｃと接続し得る。第１のパケットデータネットワークゲートウェイ（ＰＤＮ−ＧＷ）３３７ａは第１のアクセスポイント名（ＡＰＮ）３３８ａに接続し得る。第２のパケットデータネットワークゲートウェイ（ＰＤＮ−ＧＷ）３３７ｂは第２のアクセスポイント名（ＡＰＮ）３３８ｂに接続し得る。第３のパケットデータネットワークゲートウェイ（ＰＤＮ−ＧＷ）３３７ｃは第３のアクセスポイント名（ＡＰＮ）３３８ｃに接続し得る。アクセスポイント名（ＡＰＮ）３３８は、限定はしないが、ボイスオーバＩＰ（ＶｏＩＰ）またはビデオ電話サービスを取得するためにユーザ機器（ＵＥ）３０４が接続するインターネットマルチメディアシステム（ＩＭＳ）、またはユーザ機器（ＵＥ）３０４のための構成情報をダウンロードするためにユーザ機器（ＵＥ）３０４が接続を確立し得る管理アクセスポイント名（ＡＰＮ）３３８を含み得る。
【００４６】
ユーザ機器（ＵＥ）３０４はネットワーク中を移動し得る。ユーザ機器（ＵＥ）３０４がネットワーク中を移動するとき、ユーザ機器（ＵＥ）３０４は、ある無線アクセス技術（ＲＡＴ）１０６によって与えられるカバレージをもつエリアから、別の無線アクセス技術（ＲＡＴ）１０６によって与えられるカバレージをもつエリアに移動し得る。したがって、ユーザ機器（ＵＥ）３０４は、ソース無線アクセス技術（ＲＡＴ）１０６ａからターゲット無線アクセス技術（ＲＡＴ）１０６ｂに切り替わり得る。共通のコアネットワーク３９９は両方の無線アクセス技術（ＲＡＴ）１０６をサポートし得る。ユーザ機器（ＵＥ）３０４がソース無線アクセス技術（ＲＡＴ）１０６ａからターゲット無線アクセス技術（ＲＡＴ）１０６ｂに移動するとき、ユーザ機器（ＵＥ）３０４のパケットデータネットワーク（ＰＤＮ）接続１１０に関連する１つまたは複数のＩＰアドレス１１４が調整される必要があり得る（たとえば、ＩＰアドレス１１４のうちの１つが廃棄される必要があり得る）。
【００４７】
図４は、ＩＰアドレス１１４を廃棄するための別の方法４００の流れ図である。方法４００はワイヤレス通信デバイス１０４によって実行され得る。一構成では、方法４００は、ワイヤレス通信デバイス１０４上の高度モバイル加入者ソフトウェア（ＡＭＳＳ）１０８によって実行され得る。ワイヤレス通信デバイス１０４は、ＩＰｖ４とＩＰｖ６の両方をサポートするアクセスポイント名（ＡＰＮ）１３８へのパケットデータネットワーク（ＰＤＮ）接続１１０を確立する（すなわち、アクセスポイント名（ＡＰＮ）１３８はデュアルＩＰベアラ対応である）（４０２）。ワイヤレス通信デバイス１０４は、デュアルＩＰベアラを処理することが可能であり得るか、またはワイヤレス通信デバイス１０４は、デュアルＩＰベアラを処理することが可能でないことがある（たとえば、ワイヤレス通信デバイス１０４は、発展型高速パケットデータ（ｅＨＲＰＤ）などのただ１つの技術ではデュアルＩＰベアラを処理することが可能でないことがある）。ワイヤレス通信デバイス１０４は、アクセスポイント名（ＡＰＮ）１３８からパケットデータネットワーク（ＰＤＮ）接続１１０のためのタイプＩＰｖ４の第１のＩＰアドレス１１４とタイプＩＰｖ６の第２のＩＰアドレス１１４との割当てを受信する（４０４）。
【００４８】
ワイヤレス通信デバイス１０４がデュアルＩＰベアラを処理することが可能でない場合、ワイヤレス通信デバイス１０４は、割り当てられたＩＰアドレス１１４のうちの１つを廃棄すると判断し得る。ワイヤレス通信デバイス１０４は、パケットデータネットワーク（ＰＤＮ）接続１１０を要求するアプリケーション１１２がＩＰアドレス１１４タイプ１１６をも要求したかどうかを判断する（４０６）。パケットデータネットワーク（ＰＤＮ）接続１１０を要求するアプリケーション１１２がＩＰアドレス１１４タイプ１１６を要求した場合、ワイヤレス通信デバイス１０４は、アプリケーション１１２がＩＰｖ４アドレスを要求したかＩＰｖ６アドレスを要求したかを判断する（４１０）。アプリケーション１１２がＩＰｖ６アドレスを要求した場合、ワイヤレス通信デバイス１０４はＩＰｖ６アドレスを保持する（４１４）。
【００４９】
アプリケーション１１２がＩＰｖ４アドレスを要求した場合、ワイヤレス通信デバイス１０４は、ＩＰｖ４が据え置かれるかどうか（すなわち、ＩＰｖ４アドレスがすでに取得されているかどうか、またはワイヤレス通信デバイス１０４が、ＩＰｖ４アドレスを取得するために動的ホスト構成プロトコル（ＤＨＣＰ）を使用するかどうか）を判断する（４２２）。ＩＰｖ４が据え置かれない（したがって、ワイヤレス通信デバイス１０４がすでにＩＰｖ４アドレスを有する）場合、ワイヤレス通信デバイス１０４は、ＩＰｖ４アドレスを保持し（４２６）、ＩＰｖ６アドレスを廃棄する（４２８）。ＩＰｖ４が据え置かれる場合、ワイヤレス通信デバイス１０４は、ＩＰｖ４アドレスを取得するために動的ホスト構成プロトコル（ＤＨＣＰ）を用いる（４２４）。ワイヤレス通信デバイス１０４はまた、ＩＰｖ６アドレスを廃棄する（４２８）。
【００５０】
パケットデータネットワーク（ＰＤＮ）接続１１０を要求するアプリケーション１１２がＩＰアドレス１１４タイプ１１６を要求していない場合、ワイヤレス通信デバイス１０４は、事業者がそのパケットデータネットワーク（ＰＤＮ）接続１１０のために保持されるべきＩＰアドレス１１４タイプ１１６を指定しているかどうかを判断する（４０８）。事業者がそのパケットデータネットワーク（ＰＤＮ）接続１１０のために保持されるべきＩＰアドレス１１４タイプ１１６を指定していない場合、ワイヤレス通信デバイス１０４は、（ＩＰｖ４アドレスは不足しており、枯渇しやすいので）ＩＰｖ６アドレスを保持する（４１４）。事業者がそのパケットデータネットワーク（ＰＤＮ）接続１１０のために保持されるべきＩＰアドレス１１４タイプ１１６を指定している場合、ワイヤレス通信デバイス１０４は、事業者が、ＩＰｖ４アドレスが保持されるべきであると指定したか、またはＩＰｖ６アドレスが保持されるべきであると指定したかを判断する（４１２）。事業者が、そのパケットデータネットワーク（ＰＤＮ）接続１１０のためにＩＰｖ４アドレスが保持されるべきであると指定している場合、ワイヤレス通信デバイス１０４はＩＰｖ４が据え置かれるかどうかを判断する（４２２）。事業者は、ネットワークによってパケットデータネットワーク（ＰＤＮ）接続１１０に両方のＩＰアドレス１１４が割り当てられた場合、ＡＰＮごとに、高度モバイル加入者ソフトウェア（ＡＭＳＳ）１０８がデフォルトでどのＩＰアドレス１１４タイプ１１６を廃棄すべきであるかを指定し得る。たとえば、事業者は、第１のアクセスポイント名（ＡＰＮ）１３８（ＡＰＮ１）の場合はＩＰｖ６アドレスが常に保持されるべきであるが、第２のアクセスポイント名（ＡＰＮ）１３８（ＡＰＮ２）の場合はＩＰｖ４アドレスが常に保持されるべきであると指定することができる。
【００５１】
事業者が、ＩＰｖ６アドレスが保持されるべきであると指定している場合、ワイヤレス通信デバイス１０４はＩＰｖ６アドレスを保持する（３１４）。ワイヤレス通信デバイス１０４はＩＰｖ４が据え置かれるかどうかを判断する（４１６）。ＩＰｖ４が据え置かれる場合、ワイヤレス通信デバイス１０４は、動的ホスト構成プロトコル（ＤＨＣＰ）を介してＩＰｖ４アドレスを要求しない（４１８）。ＩＰｖ４が据え置かれない場合、ワイヤレス通信デバイス１０４はＩＰｖ４アドレスを廃棄する（４２０）。
【００５２】
図５は、発展型高速パケットデータ（ｅＨＲＰＤ）のためのネットワークアーキテクチャを示すブロック図である。図５のユーザ機器（ＵＥ）５０４は、図１のワイヤレス通信デバイス１０４の一構成であり得る。アクセス端末（ＡＴ）とは異なり、ユーザ機器（ＵＥ）５０４は、複数のパケットデータネットワークゲートウェイ（ＰＤＮ−ＧＷ）５５９を介して複数のアクセスポイント名（ＡＰＮ）１３８からサービスを取得する能力を有する。ユーザ機器（ＵＥ）５０４からパケットデータネットワークゲートウェイ（ＰＤＮ−ＧＷ）５５９へのそのような接続はパケットデータネットワーク（ＰＤＮ）接続１１０と呼ばれる。パケットデータネットワーク（ＰＤＮ）接続１１０ごとに、ユーザ機器（ＵＥ）５０４は、パケットデータネットワークゲートウェイ（ＰＤＮ−ＧＷ）５５９によって１つまたは２つのＩＰアドレス１１４を割り当てられる。
【００５３】
ユーザ機器（ＵＥ）５０４は、アクセスポイント名（ＡＰＮ）１３８によって提供されるサービスの機能およびタイプに応じて、単一のＩＰｖ４アドレス、単一のＩＰｖ６アドレス、またはＩＰｖ４アドレスとＩＰｖ６アドレスの両方を割り当てられ得る。ユーザ機器（ＵＥ）５０４とパケットデータネットワークゲートウェイ（ＰＤＮ−ＧＷ）５５９との間のパケットデータネットワーク（ＰＤＮ）接続１１０は直接接続ではない。発展型高速パケットデータ（ｅＨＲＰＤ）では、ＨＲＰＤサービングゲートウェイ（ＨＳＧＷ）５３３がユーザ機器（ＵＥ）５０４と通信し、ユーザ機器（ＵＥ）５０４とのあらゆるパケットデータネットワーク（ＰＤＮ）接続１１０を管理する。Ｌｏｎｇ  Ｔｅｒｍ  Ｅｖｏｌｕｔｉｏｎ（ＬＴＥ）では、サービングゲートウェイ（ＳＧＷ）３３４がユーザ機器（ＵＥ）５０４と通信し、ユーザ機器（ＵＥ）５０４とのあらゆるパケットデータネットワーク（ＰＤＮ）接続１１０を管理する。次いで、ＨＲＰＤサービングゲートウェイ（ＨＳＧＷ）５３３（またはサービングゲートウェイ（ＳＧＷ）３３４）は、各パケットデータネットワーク（ＰＤＮ）接続１１０のためにパケットデータネットワークゲートウェイ（ＰＤＮ−ＧＷ）５５９と通信する。
【００５４】
３ＧＰＰ２  ５３９において、ユーザ機器（ＵＥ）５０４は、Ｕｍインターフェース５４１ａを介してＨＲＰＤ送受信基地局（ＢＴＳ）５４２と通信し得るか、またはＵｍインターフェース５４１ｂを介して１ｘＲＴＴ送受信基地局（ＢＴＳ）５４３と通信し得る。１ｘＲＴＴ送受信基地局（ＢＴＳ）５４３は、Ａｂｉｓインターフェース５４８ｃを介して基地局コントローラ（ＢＳＣ）／パケット制御機能（ＰＣＦ）５４５と通信し得る。次いで、基地局コントローラ（ＢＳＣ）／パケット制御機能（ＰＣＦ）５４５は、Ａ１０／Ａ１１インターフェース５５１ｃを介してパケットデータサービングノード（ＰＤＳＮ）５５２と通信し得る。パケットデータサービングノード（ＰＤＳＮ）５５２は、Ａ１０／Ａ１１インターフェース５５１ｂを介してアクセスノード（ＡＮ）／パケット制御機能（ＰＣＦ）５４６と通信し得る。ＨＲＰＤ送受信基地局（ＢＴＳ）５４２は、Ａｂｉｓインターフェース５４４ｂを介してアクセスネットワーク（ＡＮ）／パケット制御機能（ＰＣＦ）５４６と通信し得る。アクセスネットワーク（ＡＮ）／パケット制御機能（ＰＣＦ）５４６は、Ａ１２インターフェース５５３ｂを介してＡＮ−ＡＡＡ（認証、許可およびアカウンティングアクセスネットワーク）５５４と通信し得る。
【００５５】
ＨＲＰＤ送受信基地局（ＢＴＳ）５４２は、Ａｂｉｓインターフェース５４４ａを介して発展型アクセスネットワーク（ｅＡＮ）／パケット制御機能（ＰＣＦ）５４８と通信し得る。次いで、発展型アクセスネットワーク（ｅＡＮ）／パケット制御機能（ＰＣＦ）５４８は、Ａ１２インターフェース５５３ｂを介してＡＮ−ＡＡＡ（認証、許可およびアカウンティングアクセスネットワーク）５５４と通信し得る。発展型アクセスネットワーク（ｅＡＮ）／パケット制御機能（ＰＣＦ）５４８は、さらに、Ａ１０／Ａ１１インターフェース５５１ａを介してＨＲＰＤサービングゲートウェイ（ＨＳＧＷ）５３３と通信し得る。ＨＲＰＤサービングゲートウェイ（ＨＳＧＷ）５５３は、Ｐｉインターフェース５１３を介して３ＧＰＰ２  ＡＡＡ（認証、許可およびアカウンティング）サーバ５５５と通信し得る。Ａ１３／Ａ１６インターフェース５４７ａ〜ｂは、２つのアクセスネットワーク（ＡＮ）／パケット制御機能（ＰＣＦ）５４６間または２つの発展型アクセスネットワーク（ｅＡＮ）／パケット制御機能（ＰＣＦ）５４８間のインターフェースであり得る。Ｈ１／Ｈ２インターフェース５５０は、２つのＨＲＰＤサービングゲートウェイ（ＨＳＧＷ）５３３間のインターフェースであり得る。
【００５６】
発展型ＵＭＴＳ地上波無線アクセスネットワーク（Ｅ−ＵＴＲＡＮ：evolved UMTS Terrestrial Radio Access Network）／発展型パケットコア（ＥＰＣ：Evolved Packet Core）５４０は、ホーム加入者サービス（ＨＳＳ：Home Subscriber Service）５６８と、１つまたは複数のパケットデータネットワークゲートウェイ（ＰＤＮ−ＧＷ）５５９と、ポリシー課金およびルール機能（ＰＣＲＦ：Policy Charging and Rules Function）５６２と、事業者ＩＰサービス５６５（たとえば、インターネットマルチメディアシステム（ＩＭＳ）、パケット交換ストリーミングサービス（ＰＳＳ）など）と、３ＧＰＰ  ＡＡＡ（認証、許可およびアカウンティング）サーバ５５７とを含み得る。パケットデータネットワークゲートウェイ（ＰＤＮ−ＧＷ）５５９は、Ｓ２ａインターフェース５５８を介してＨＲＰＤサービングゲートウェイ（ＨＳＧＷ）５３３と通信し、Ｇｘインターフェース５６１を介してポリシー課金およびルール機能（ＰＣＲＦ）５６２と通信し、ＳＧｉインターフェース５６４を介して事業者ＩＰサービス５６５と通信し、Ｓ６ｂインターフェース５３６を介して３ＧＰＰ  ＡＡＡ（認証、許可およびアカウンティング）サーバ５５７と通信し得る。ポリシー課金およびルール機能（ＰＣＲＦ）５６２は、Ｇｘａインターフェース５６０を介してＨＲＰＤサービングゲートウェイ（ＨＳＧＷ）５３３と通信し、Ｒｘインターフェース５６６を介して事業者ＩＰサービス５６５と通信し得る。３ＧＰＰ  ＡＡＡ（認証、許可およびアカウンティング）サーバ５５７は、ＳＴａインターフェース５５６を介して３ＧＰＰ２  ＡＡＡ（認証、許可およびアカウンティング）サーバ５５５と通信し、ＳＷｘインターフェース５６７を介してホーム加入者サービス（ＨＳＳ）５６８と通信し得る。
【００５７】
図６は、ワイヤレス通信デバイス６０４とパケットデータネットワークゲートウェイ（ＰＤＮ−ＧＷ）６３７との間のパケットデータネットワーク（ＰＤＮ）接続１１０のセットアップを示すコールフロー図である。図６のワイヤレス通信デバイス６０４は、図１のワイヤレス通信デバイス１０４の一構成であり得る。ワイヤレス通信デバイス１０４は、アプリケーション６１２と高度モバイル加入者ソフトウェア（ＡＭＳＳ）６０８とを含み得る。ネットワークは、アクセスネットワーク（ＡＮ）６６９と、ＨＲＰＤサービングゲートウェイ（ＨＳＧＷ）６３３と、パケットデータネットワークゲートウェイ（ＰＤＮ−ＧＷ）６３７と、ポリシー課金およびルール機能（ＰＣＲＦ）６６２と、３ＧＰＰ２  ＡＡＡ（認証、許可およびアカウンティング）プロキシ６５５と、ホーム加入者サービス（ＨＳＳ）／ＡＡＡ（認証、許可およびアカウンティング）６７０とを含み得る。
【００５８】
発展型高速パケットデータ（ｅＨＲＰＤ）では、ワイヤレス通信デバイス６０４とＨＲＰＤサービングゲートウェイ（ＨＳＧＷ）６３３との間の通信のためのプロトコルは、ポイントツーポイントプロトコル（ＰＰＰ）である。ポイントツーポイントプロトコル（ＰＰＰ）は、ユーザデータ転送が行われる前に、リンク制御プロトコル（ＬＣＰ）、認証、およびネットワーク制御プロトコル（ＮＣＰ）の３つの段階を有する。発展型高速パケットデータ（ｅＨＲＰＤ）では、認証プロトコルは、ＵＭＴＳ認証および鍵一致のための拡張認証プロトコル方法（ＥＡＰ−ＡＫＡ：Extensible Authentication Protocol Method for UMTS Authentication and Key Agreement）であり、ネットワーク制御プロトコル（ＮＣＰ）はベンダー固有ネットワーク制御プロトコル（ＶＳＮＣＰ）である。データ転送は、ベンダー固有ネットワークプロトコル（ＶＳＮＰ：Vendor-Specific Network Protocol）を介して行われる。ユーザ機器（ＵＥ）６０４とＨＲＰＤサービングゲートウェイ（ＨＳＧＷ）６３３との間のリンク制御プロトコル（ＬＣＰ）ならびにＵＭＴＳ認証および鍵一致のための拡張認証プロトコル方法（ＥＡＰ−ＡＫＡ）は、すべてのパケットデータネットワーク（ＰＤＮ）接続１１０に共通のただ１つのインスタンスを有する。ベンダー固有ネットワーク制御プロトコル（ＶＳＮＣＰ）およびベンダー固有ネットワークプロトコル（ＶＳＮＰ）は、パケットデータネットワーク（ＰＤＮ）接続１１０ごとにインスタンスを有する。
【００５９】
高度モバイル加入者ソフトウェア（ＡＭＳＳ）６０８は、アクセスネットワーク（ＡＮ）６６９とのセッション確立６７１をシグナリングし得る。高度モバイル加入者ソフトウェア（ＡＭＳＳ）６０８とアクセスネットワーク（ＡＮ）６６９との間のアクセスネットワーク（ＡＮ）認証６７２が行われ得る。次いで、高度モバイル加入者ソフトウェア（ＡＭＳＳ）６０８とアクセスネットワーク（ＡＮ）６６９との間のロケーション更新プロシージャ６７３が行われ得る。次いで、アクセスネットワーク（ＡＮ）６６９とＨＲＰＤサービングゲートウェイ（ＨＳＧＷ）６３３との間のＡ１１のＲＲＱ／ＲＲＰ（登録要求／登録返答）６７４が行われ得る。第１のアプリケーション６０４は、高度モバイル加入者ソフトウェア（ＡＭＳＳ）６０８へのネットワークのブリングアップ（bring up）を開始する（６７５）。次いで、高度モバイル加入者ソフトウェア（ＡＭＳＳ）６０８は、ＨＲＰＤサービングゲートウェイ（ＨＳＧＷ）６３３とのポイントツーポイントプロトコル（ＰＰＰ）リンク制御プロトコル（ＬＣＰ）ネゴシエーション６１３を実行し得、拡張認証プロトコル（ＥＡＰ）が認証プロトコルとして選択される。次いで、高度モバイル加入者ソフトウェア（ＡＭＳＳ）６０８とＨＲＰＤサービングゲートウェイ（ＨＳＧＷ）６３３とホーム加入者サービス（ＨＳＳ）／ＡＡＡ（認証、許可およびアカウンティング）６７０との間のＵＭＴＳ認証および鍵一致のための拡張認証プロトコル方法（ＥＡＰ−ＡＫＡ）６７６ａ〜ｂが行われ得る。
【００６０】
ワイヤレス通信デバイス６０４がパケットデータネットワーク（ＰＤＮ）１１０への接続性を確立することを希望するとき、高度モバイル加入者ソフトウェア（ＡＭＳＳ）６０８は、ＨＲＰＤサービングゲートウェイ（ＨＳＧＷ）６３３にＶＳＮＣＰ  Ｃｏｎｆｉｇ−Ｒｅｑメッセージ６７７を送ることになる（ＶＳＮＣＰ  Ｃｏｎｆｉｇ−Ｒｅｑメッセージ６７７は、ワイヤレス通信デバイス６０４が追加のパケットデータネットワーク（ＰＤＮ）接続１１０を要求しているときにも、ＨＲＰＤサービングゲートウェイ（ＨＳＧＷ）６３３に送られ得る）。ＶＳＮＣＰ  Ｃｏｎｆｉｇ−Ｒｅｑメッセージ６７７は、ワイヤレス通信デバイス６０４全体としてのＩＰアドレス１１４タイプ１１６サポートに関するワイヤレス通信デバイス６０４の機能を示し得る。しかしながら、ＶＳＮＣＰ  Ｃｏｎｆ−Ｒｅｑメッセージ６７７は、ワイヤレス通信デバイス６０４が特定のパケットデータネットワーク（ＰＤＮ）接続１１０のために実際にどんなＩＰアドレス１１４タイプ１１６を希望するかを示さない。言い換えれば、ＶＳＮＣＰ  Ｃｏｎｆｉｇ−Ｒｅｑメッセージ６７７は、特定のアクセスポイント名（ＡＰＮ）１３８に接続することを試みるアプリケーション６１２が何を希望するかを示し得ない。
【００６１】
ＶＳＮＣＰ  Ｃｏｎｆｉｇ−Ｒｅｑメッセージ６７７は、フィールドＰＤＮ−ＩＤ、ＡＰＮ、ＰＤＮタイプ、ＰＤＮアドレス、ＰＣＯおよびアタッチタイプを含み得る。ＰＤＮ−ＩＤフィールドは、ワイヤレス通信デバイス６０４によってパケットデータネットワーク（ＰＤＮ）接続１１０に割り当てられた一意の識別子を含む。ＡＰＮフィールドは、ワイヤレス通信デバイス６０４がパケットデータネットワーク（ＰＤＮ）接続１１０を確立することを希望するアクセスポイント名（ＡＰＮ）１３８の名前を含み得る。ＰＤＮタイプは、ワイヤレス通信デバイス６０４のＩＰアドレス１１４タイプ１１６の機能を指す。ワイヤレス通信デバイス６０４がＩＰｖ４のみをサポートする場合、ＰＤＮタイプフィールドはｖ４を含むことになる。ワイヤレス通信デバイス６０４がＩＰｖ６のみをサポートする場合、ＰＤＮタイプフィールドはｖ６を含むことになる。ワイヤレス通信デバイス６０４がＩＰｖ４とＩＰｖ６の両方をサポートする場合、ＰＤＮタイプフィールドはｖ４／ｖ６を含むことになる。
【００６２】
ワイヤレス通信デバイス６０４が初めてパケットデータネットワーク（ＰＤＮ）１１０に接続している場合、ＰＤＮアドレスフィールドは空のままである。ＰＤＮアドレスフィールドは、ワイヤレス通信デバイス６０４が、前にパケットデータネットワーク（ＰＤＮ）１１０に接続し、別の無線アクセス技術（ＲＡＴ）１０６（たとえば、Ｌｏｎｇ  Ｔｅｒｍ  Ｅｖｏｌｕｔｉｏｎ（ＬＴＥ））において、ワイヤレス通信デバイス６０４が要求するＩＰアドレス１１４を前に割り当てられた場合、そのＩＰアドレス１１４を含む。ＰＣＯフィールドは、ワイヤレス通信デバイス６０４とパケットデータネットワークゲートウェイ（ＰＤＮ−ＧＷ）６３７との間でパラメータを転送するためにプロトコル構成オプション（ＰＣＯ）を使用し得、ＨＲＰＤサービングゲートウェイ（ＨＳＧＷ）６３３を通して透過的に送られる。アタッチタイプフィールドは、ワイヤレス通信デバイス６０４が、初めてこのパケットデータネットワーク（ＰＤＮ）１１０に接続している（初期アタッチ）か、または（Ｌｏｎｇ  Ｔｅｒｍ  Ｅｖｏｌｕｔｉｏｎ（ＬＴＥ）において）前に接続したかを示す。
【００６３】
ＨＲＰＤサービングゲートウェイ（ＨＳＧＷ）６３３とポリシー課金およびルール機能（ＰＣＲＦ）６６２との間のゲートウェイ制御セッションセットアップ６７８が行われ得る。次いで、ＨＲＰＤサービングゲートウェイ（ＨＳＧＷ）６３３は、パケットデータネットワークゲートウェイ（ＰＤＮ−ＧＷ）６３７にプロキシモバイルＩＰ（ＰＭＩＰ）バインディング更新６７９を送り得る。ポリシー課金およびルール機能（ＰＣＲＦ）対話６８０が、パケットデータネットワークゲートウェイ（ＰＤＮ−ＧＷ）６３７とポリシー課金およびルール機能（ＰＣＲＦ）６６２との間で行われ得る。次いで、ポリシー課金およびルール機能（ＰＣＲＦ）６６２とホーム加入者サービス（ＨＳＳ）／ＡＡＡ（認証、許可およびアカウンティング）６７０とが、パケットデータネットワークゲートウェイ（ＰＤＮ−ＧＷ）６３７アドレスを更新するために通信する（６８１）。
【００６４】
パケットデータネットワークゲートウェイ（ＰＤＮ−ＧＷ）６３７は、ＨＲＰＤサービングゲートウェイ（ＨＳＧＷ）６３３にプロキシモバイルＩＰ（ＰＭＩＰ）バインディング確認応答６８２を送り得る。ＨＲＰＤサービングゲートウェイ（ＨＳＧＷ）６３３は、高度モバイル加入者ソフトウェア（ＡＭＳＳ）６０８にＶＳＮＣＰ  Ｃｏｎｆｉｇ−Ａｃｋメッセージ６８３を送り得る。ＶＳＮＣＰ  Ｃｏｎｆｉｇ−Ａｃｋメッセージ６８３は、フィールドＰＤＮ−ＩＤ、ＡＰＮ、ＰＤＮタイプ、ＰＤＮアドレス、ＰＣＯおよびアタッチタイプを含み得る。ＶＳＮＣＰ  Ｃｏｎｆｉｇ−Ａｃｋメッセージ６８３中のＰＤＮタイプフィールドは、ネットワークがワイヤレス通信デバイス６０４にどんなＩＰアドレス１１４タイプ１１６を使用して欲しいかを示し得る。ＨＲＰＤサービングゲートウェイ（ＨＳＧＷ）６３３はまた、高度モバイル加入者ソフトウェア（ＡＭＳＳ）６０８に、ＰＤＮ−ＩＤを含むＶＳＮＣＰ  Ｃｏｎｆ−Ｒｅｑメッセージ６８４を送り得る。次いで、高度モバイル加入者ソフトウェア（ＡＭＳＳ）６０８は、ＨＲＰＤサービングゲートウェイ（ＨＳＧＷ）６３３に、ＰＤＮ−ＩＤを含むＶＳＮＣＰ  Ｃｏｎｆｉｇ−Ａｃｋメッセージ６８５を送り得る。
【００６５】
次いで、ワイヤレス通信デバイス６０４は、デフォルトパケットデータネットワーク（ＰＤＮ）１１０のための１または２つのＩＰアドレス１１４を取得する。ワイヤレス通信デバイス６０４が２つのＩＰアドレス１１４を取得しているが、１つのＩＰアドレス１１４のみを必要とするかまたは使用することが可能である場合、高度モバイル加入者ソフトウェア（ＡＭＳＳ）６０８は、ワイヤレス通信デバイス６０４が両方のＩＰアドレス１１４を処理することが可能でないと判断する（６８７）。高度モバイル加入者ソフトウェア（ＡＭＳＳ）６０８は、どのＩＰアドレス１１４を廃棄すべきかを判断する（６８８）。次いで、高度モバイル加入者ソフトウェア（ＡＭＳＳ）６０８は、判断されたＩＰアドレス１１４を廃棄する（６８９）。
【００６６】
図７は、デュアルＩＰベアラ（または、同じアクセスポイント名（ＡＰＮ）１３８に対する２つのシングルＩＰベアラ）をサポートしない無線アクセス技術（ＲＡＴ）１０６に移行した後にＩＰアドレス１１４を廃棄するための方法７００の流れ図である。方法７００はワイヤレス通信デバイス１０４によって実行され得る。一構成では、方法７００は、ワイヤレス通信デバイス１０４上の高度モバイル加入者ソフトウェア（ＡＭＳＳ）１０８によって実行され得る。ワイヤレス通信デバイス１０４は、第１のＩＰアドレス１１４ａをもつ第１のアプリケーション１１２ａと、第２のＩＰアドレス１１４ｂをもつ第２のアプリケーション１１２ｂとを使用して、第１の無線アクセス技術（ＲＡＴ）１０６ａのアクセスポイント名（ＡＰＮ）１３８と通信する（７０２）。第１のＩＰアドレス１１４ａと第２のＩＰアドレス１１４ｂとは、異なるＩＰアドレス１１４タイプ１１６を有し得る。たとえば、第１のＩＰアドレス１１４ａはＩＰｖ４アドレスであり得、第２のＩＰアドレス１１４ｂはＩＰｖ６アドレスであり得る。第１の無線アクセス技術（ＲＡＴ）１０６ａは、デュアルＩＰベアラ、または第１の無線アクセス技術（ＲＡＴ）１０６ａに対する２つのシングルＩＰベアラのいずれかをサポートし得る。一構成では、第１の無線アクセス技術（ＲＡＴ）１０６ａはＬｏｎｇ  Ｔｅｒｍ  Ｅｖｏｌｕｔｉｏｎ（ＬＴＥ）であり得る。
【００６７】
次いで、ワイヤレス通信デバイス１０４は、ワイヤレス通信デバイス１０４とのデュアルＩＰベアラをサポートしない第２の無線アクセス技術（ＲＡＴ）１０６ｂにおけるアクセスポイント名（ＡＰＮ）１３８と通信することに切り替わる（７０４）。一構成では、第２の無線アクセス技術（ＲＡＴ）１０６ｂは発展型高速パケットデータ（ｅＨＲＰＤ）であり得る。ワイヤレス通信デバイス１０４がＩＰアドレス１１４のうちの１つを廃棄する必要があるであろう２つのシナリオがある。第１のシナリオでは、第１のＩＰアドレス１１４ａおよび第２のＩＰアドレス１１４ｂは２つのシングルアドレスベアラであり、したがって、ワイヤレス通信デバイス１０４はデュアルＩＰベアラを処理することが可能でない。ワイヤレス通信デバイス１０４が発展型高速パケットデータ（ｅＨＲＰＤ）に切り替わるとき（７０４）、発展型高速パケットデータ（ｅＨＲＰＤ）は、同じアクセスポイント名（ＡＰＮ）１３８に対する２つのシングルアドレスベアラをサポートせず、ワイヤレス通信デバイス１０４は、ＩＰアドレス１１４のうちの１つを廃棄（または、単一のＩＰアドレス１１４をもつただ１つのベアラのセットアップを要求）しなければならない。第２のシナリオでは、ワイヤレス通信デバイス１０４はデュアルＩＰベアラを処理することが可能であるが、第２の無線アクセス技術（ＲＡＴ）１０６ｂは（ワイヤレス通信デバイス１０４がデュアルＩＰベアラを処理することが可能でない）発展型高速パケットデータ（ｅＨＲＰＤ）である。
【００６８】
ワイヤレス通信デバイス１０４は、ＩＰアドレス１１４がアプリケーション１１２のいずれかに対してスロットリングされるかどうかを判断する（７０６）。両方のアプリケーション１１２のためのＩＰアドレス１１４がスロットリングされる場合、ワイヤレス通信デバイス１０４は、スロットリングタイマー１２２が満了するまで第１のＩＰアドレス１１４ａと第２のＩＰアドレス１１４ｂとを阻止する（７０８）。スロットリングタイマー１２２が満了すると、ワイヤレス通信デバイス１０４は、アプリケーション１１２のＩＰアドレス１１４がサービス品質（ＱｏＳ）構成済みであるかどうかを判断する（７１０）。アプリケーション１１２のためのいずれのＩＰアドレス１１４もスロットリングされない場合、ワイヤレス通信デバイスは、アプリケーションのＩＰアドレス１１４がサービス品質（ＱｏＳ）構成済みであるかどうかを判断する（７１０）。
【００６９】
アプリケーションの両方が、サービス品質（ＱｏＳ）構成済みであるＩＰアドレス１１４を有するか、またはアプリケーションのいずれも、サービス品質（ＱｏＳ）構成済みであるＩＰアドレス１１４を有しない場合、ワイヤレス通信デバイス１０４は、第１のアプリケーション１１２ａの非アクティビティ時間１１８ａと第２のアプリケーション１１２ｂの非アクティビティ時間１１８ｂとが両方とも非アクティビティしきい値Ｔinactive１２０（たとえば、１５分）よりも大きいかどうかを判断する（７１２）。第１のアプリケーション１１２ａの非アクティビティ時間１１８ａと第２のアプリケーション１１２ｂの非アクティビティ時間１１８ｂとが両方とも非アクティビティしきい値Ｔinactive１２０よりも大きい場合、ワイヤレス通信デバイス１０４は、事業者がパケットデータネットワーク（ＰＤＮ）接続１１０のために保持されるべきＩＰアドレス１１４タイプ１１６を指定しているかどうかを判断する（７１４）。事業者がパケットデータネットワーク（ＰＤＮ）接続１１０のためにＩＰｖ４が保持されるべきであると指定している場合、ワイヤレス通信デバイス１０４は、ＩＰｖ４アドレスを保持し（７２０）、ＩＰｖ６アドレスを廃棄する（７２２）。事業者がパケットデータネットワーク（ＰＤＮ）接続１１０のためにＩＰｖ６が保持されるべきであると指定しているか、または事業者がパケットデータネットワーク（ＰＤＮ）接続１１０のために保持されるべきＩＰアドレス１１４タイプ１１６を指定していない場合、ワイヤレス通信デバイス１０４はＩＰｖ６アドレスを保持する（７１６）。ワイヤレス通信デバイス１０４はまた、ＩＰｖ４アドレスを廃棄する（または、ＩＰｖ４アドレスが据え置かれる場合、動的ホスト構成プロトコル（ＤＣＨＰ）を介してＩＰｖ４アドレスを要求しない）（７１８）。
【００７０】
第１のアプリケーション１１２ａの非アクティビティ時間１１８ａと第２のアプリケーション１１２ｂの非アクティビティ時間１１８ｂとが両方とも非アクティビティしきい値Ｔinactive１２０以下である（すなわち、第１のアプリケーション１１２ａの非アクティビティ時間１１８ａと第２のアプリケーション１１２ｂの非アクティビティ時間１１８ｂとのうちの１つまたは両方が非アクティビティしきい値Ｔinactive１２０よりも小さい）場合、ワイヤレス通信デバイス１０４は、どのアプリケーション１１２がデータ転送に最も最近関与したかを判断する（７２８）。したがって、ワイヤレス通信デバイス１０４は、より小さい非アクティビティ時間１１８を判断するために、第１のアプリケーション１１２ａの非アクティビティ時間１１８ａを第２のアプリケーション１１２ｂの非アクティビティ時間１１８ｂと比較し得る。第１のアプリケーション１１２ａがより小さい非アクティビティ時間１１８ａを有する（したがって、データ転送に最も最近関与した）場合、ワイヤレス通信デバイス１０４は、第１のアプリケーション１１２ａの第１のＩＰアドレス１１４ａを保持する（７３０）。ワイヤレス通信デバイス１０４はまた、第２のアプリケーション１１２ｂの第２のＩＰアドレス１１４ｂを廃棄する（７３２）。第２のアプリケーション１１２ｂがより小さい非アクティビティ時間１１８ｂを有する場合、ワイヤレス通信デバイス１０４は、第２のアプリケーション１１２ｂの第２のＩＰアドレス１１４ｂを保持する（７３４）。ワイヤレス通信デバイス１０４はまた、第１のアプリケーション１１２ａの第１のＩＰアドレス１１６ａを廃棄する（７３６）。
【００７１】
ただ１つのアプリケーション１１２が、サービス品質（ＱｏＳ）構成済みであるＩＰアドレス１１６を有する場合、ワイヤレス通信デバイス１０４は、どのアプリケーションが、サービス品質（ＱｏＳ）構成済みであるＩＰアドレス１１４を有するかを判断する（７２６）。第１のアプリケーション１１２ａの第１のＩＰアドレス１１４ａがサービス品質（ＱｏＳ）構成済みである場合、ワイヤレス通信デバイス１０４は、第１のアプリケーション１１２ａの第１のＩＰアドレス１１４ａを保持し（７３０）、第２のアプリケーション１１２ｂの第２のＩＰアドレス１１４ｂを廃棄する（７３２）。第２のアプリケーション１１２ｂの第２のＩＰアドレス１１４ｂがサービス品質（ＱｏＳ）構成済みである場合、ワイヤレス通信デバイス１０４は、第２のアプリケーション１１２ｂの第２のＩＰアドレス１１４ｂを保持し（７３４）、第１のアプリケーション１１２ａの第１のＩＰアドレス１１４ａを廃棄する（７３６）。
【００７２】
ただ１つのアプリケーションが、スロットリングされるＩＰアドレス１１４を有する場合、ワイヤレス通信デバイス１０４は、どのアプリケーション１１２が、スロットリングされるＩＰアドレス１１４を有するかを判断する（７２４）。第１のアプリケーション１１２ａが、スロットリングされるＩＰアドレス１１４ａを有する場合、ワイヤレス通信デバイス１０４は、第２のアプリケーション１１２ｂの第２のＩＰアドレス１１４ｂを保持し（７３４）、第１のアプリケーション１１２ａの第１のＩＰアドレス１１４ａを廃棄する（７３６）。第２のアプリケーション１１２ｂが、スロットリングされるＩＰアドレス１１４ｂを有する場合、ワイヤレス通信デバイス１０４は、第１のアプリケーション１１２ａの第１のＩＰアドレス１１４ａを保持し（７３０）、第２のアプリケーション１１２ｂの第２のＩＰアドレス１１４ｂを廃棄する（７３２）。
【００７３】
ＩＰアドレス１１４の廃棄時に、そのＩＰアドレス１１４を使用していたアプリケーション１１２は、ＩＰインターフェースがもはや利用可能でないことを高度モバイル加入者ソフトウェア（ＡＭＳＳ）１０８によって通知される。一構成では、高度モバイル加入者ソフトウェア（ＡＭＳＳ）１０８がＩＰアドレス１１４を廃棄したとき、そのＩＰアドレス１１４は、ソース無線アクセス技術（ＲＡＴ）１０６ａとターゲット無線アクセス技術（ＲＡＴ）１０６ｂの両方について廃棄されたと見なされる。したがって、ワイヤレス通信デバイス１０４がソース無線アクセス技術（ＲＡＴ）１０６ａに戻る場合、廃棄されたＩＰアドレス１１４は再び使用され得ない。代わりに、ワイヤレス通信デバイス１０４は、対応するＩＰインターフェースを恒久的にクリーンアップすべきである。対応するＩＰインターフェースを恒久的にクリーンアップすることは、そのＩＰアドレス１１４に関する恒久的不通をアプリケーション１１２に通知し、そのＩＰアドレス１１４に関する内部状態をクリーンアップすることを意味する。ワイヤレス通信デバイス１０４がソース無線アクセス技術（ＲＡＴ）１０６ａに戻るときでも、そのＩＰアドレス１１４は、アプリケーション１１２が要求を開始し、ワイヤレス通信デバイス１０４がネットワークに対して新しい要求を実行することなしに、再び使用され得ない。これは、図１に関して上記で説明したように、ドロップされたＩＰアドレスタイマー１１１を使用することによって達成され得る。
【００７４】
別の構成では、高度モバイル加入者ソフトウェア（ＡＭＳＳ）１０８がＩＰアドレス１１４を廃棄したとき、そのＩＰアドレス１１４は、ターゲット無線アクセス技術（ＲＡＴ）１０６ｂのみについて廃棄されたと見なされる。ワイヤレス通信デバイス１０４は、そのＩＰアドレス１１４が依然としてソース無線アクセス技術（ＲＡＴ）１０６ａにおいて使用され得ることを記憶し得る。高度モバイル加入者ソフトウェア（ＡＭＳＳ）１０８は、廃棄されたＩＰアドレス１１４を使用するアプリケーション１１２に一時的障害を通知し得る。ワイヤレス通信デバイス１０４が、デュアルＩＰベアラがサポートされるソース無線アクセス技術（ＲＡＴ）１０６ａに戻る場合、ワイヤレス通信デバイス１０４は、再び両方のＩＰアドレス１１４を使用することができる。高度モバイル加入者ソフトウェア（ＡＭＳＳ）１０８は、廃棄されたＩＰアドレス１１４が再び使用可能であることをアプリケーション１１２に通知し得る。このようにして、ＩＰｖ４サービスとＩＰｖ６サービスの両方のための接続性が再確立され得る。また、ワイヤレス通信デバイス１０４がデュアルＩＰベアラをサポートしない無線アクセス技術（ＲＡＴ）１０６から、ワイヤレス通信デバイス１０４がデュアルＩＰベアラ（または、同じアクセスポイント名（ＡＰＮ）１３８に対する２つのシングルアドレスベアラ）のいずれかをサポートする別の無線アクセス技術（ＲＡＴ）１０６にワイヤレス通信デバイス１０４が移行するときにＩＰアドレス１１４を処理するための拡張が提供される。
【００７５】
ワイヤレス通信デバイス１０４が、デュアルＩＰベアラをサポートしないソース無線アクセス技術（ＲＡＴ）１０６ａから、デュアルＩＰベアラをサポートするターゲット無線アクセス技術（ＲＡＴ）１０６ｂに移動するとき、パケットデータネットワーク（ＰＤＮ）接続１１０がワイヤレス通信デバイス１０４によって開始される場合、ワイヤレス通信デバイス１０４は、それがソースネットワークにおいて有した単一のＩＰアドレス１１４を指定し、そのＩＰアドレス１１４がハンドオフであることを指定する。したがって、ターゲットネットワークは、他のタイプ１１６の新しいＩＰアドレス１１４のみを割り当てる必要がある。２つのシングルＩＰベアラをサポートするターゲット無線アクセス技術（ＲＡＴ）１０６ｂにハンドオフするとき、パケットデータネットワーク（ＰＤＮ）接続１１０は、第１のＩＰアドレス１１４をハンドオフとして指定してワイヤレス通信デバイス１０４によって開始される。したがって、ターゲットネットワークは、そのタイプ１１６の新しいＩＰアドレス１１４を割り当てない。アプリケーション１１２が他のＩＰアドレス１１４タイプ１１６を除いて同じアクセスポイント名（ＡＰＮ）への接続を要求する場合、第２のシングルＩＰベアラがワイヤレス通信デバイス１０４によって開始され得る。
【００７６】
図８は、単一のプロキシモバイルＩＰ（ＰＭＩＰ）トンネル８９３にマッピングされたＩＰｖ４およびＩＰｖ６ベアラを示すブロック図である。「ＡＢＣ」と呼ばれるアクセスポイント名（ＡＰＮ）８３８は、ＩＰｖ４サービスとＩＰｖ６サービスの両方を提供し得る。ユーザ機器（ＵＥ）８０４は、それぞれ（第１のアプリケーション８１２ａを使用して）ｖ４サービスにアクセスするためおよび（第２のアプリケーション８１２ｂを使用して）ｖ６サービスにアクセスするためにパケットデータネットワーク（ＰＤＮ）接続１１０を確立することを希望するときに名前「ＡＢＣ＿ｖ４」および「ＡＢＣ＿ｖ６」を使用すべきであるという理解が、ユーザ機器（ＵＥ）８０４とＨＲＰＤサービングゲートウェイ（ＨＳＧＷ）８３３との間にあり得る。ＨＲＰＤサービングゲートウェイ（ＨＳＧＷ）８３３は、ユーザ機器（ＵＥ）８０４からのこれらの２つのパケットデータネットワーク（ＰＤＮ）接続１１０要求を受けたときに、それらが、両方とも単一のアクセスポイント名（ＡＰＮ）８３８に進むことを知っており、したがって、両方のパケットデータネットワーク（ＰＤＮ）接続１１０（すなわち、「ＡＢＣ＿ｖ４」に対するＩＰｖ４ベアラ８９２ａおよび「ＡＢＣ＿ｖ６」に対するＩＰｖ６ベアラ８９２ｂ）を、ＨＲＰＤサービングゲートウェイ（ＨＳＧＷ）８３３とパケットデータネットワークゲートウェイ（ＰＤＮ−ＧＷ）８３７との間の単一のプロキシモバイルＩＰ（ＰＭＩＰ）トンネル８９３にマッピングする。
【００７７】
この命名規則を使用して、ユーザ機器（ＵＥ）８０４に関する限り、上記の表３のシナリオ０−シングルのみが起こることになる。デュアルＩＰベアラをサポートしないレガシーユーザ機器（ＵＥ）８０４では、ソフトウェア変更は必要とされない。デュアルＩＰベアラをサポートするユーザ機器（ＵＥ）８０４に対するアクセスポイント名（ＡＰＮ）８３８の名前のプロビジョニングのみが命名規則に従わなければならない。しかしながら、ＨＲＰＤサービングゲートウェイ（ＨＳＧＷ）８３３は、ネットワーク側でｖ４とｖ６とを同じアクセスポイント名（ＡＰＮ）８３８にマッピングするために、ユーザ機器（ＵＥ）８０４によって使用される命名規則を理解するソフトウェアを必要とする。
【００７８】
アクセスポイント名（ＡＰＮ）８３８の名前が上記で説明した命名規則に従うことによってプロビジョニングされる代わりに、ユーザ機器（ＵＥ）８０４ソフトウェアは、アクセスポイント名（ＡＰＮ）８３８の名前とＩＰアドレス１１４タイプ１１６とを連結することによって、アプリケーションプロファイルからアクセスポイント名（ＡＰＮ）８３８の名前を構築する機能を用いて拡張され得る。たとえば、アプリケーション８１２が、「ＡＢＣ」と命名されたアクセスポイント名（ＡＰＮ）８３８にＩＰｖ６サービスを要求する場合、ユーザ機器（ＵＥ）８０４は、アクセスポイント名（ＡＰＮ）８３８の名前を「ＡＢＣ＿ｖ６」として構築し得る。
【００７９】
図９は、ワイヤレス通信デバイス１０４がパケットデータネットワーク（ＰＤＮ）接続１１０ごとにただ１つのＩＰアドレス１１４をサポートする機能を広告するための方法９００の流れ図である。方法９００はワイヤレス通信デバイス１０４によって実行され得る。一構成では、方法９００は、ワイヤレス通信デバイス１０４上の高度モバイル加入者ソフトウェア（ＡＭＳＳ）１０８によって実行され得る。この方法９００では、ｖ４ｖ６は、発展型高速パケットデータ（ｅＨＲＰＤ）におけるポイントツーポイントプロトコル（ＰＰＰ）ＶＳＮＣＰ  Ｃｏｎｆｉｇ−ＲｅｑメッセージのＰＤＮタイプフィールド中で使用されない。ワイヤレス通信デバイス１０４は、ワイヤレス通信デバイス１０４がデュアルＩＰベアラをサポートしない発展型高速パケットデータ（ｅＨＲＰＤ）無線アクセス技術（ＲＡＴ）１０６において動作する（９０２）。ワイヤレス通信デバイス１０４は、アプリケーション１１２から、アクセスポイント名（ＡＰＮ）１３８へのパケットデータネットワーク（ＰＤＮ）接続１１０についての要求を受信する（９０４）。
【００８０】
ワイヤレス通信デバイス１０４は、アプリケーション１１２がＩＰｖ４アプリケーションかＩＰｖ６アプリケーションかを判断する（９０６）。アプリケーション１１４がＩＰｖ４アプリケーションである場合、ワイヤレス通信デバイス１０４は、ＰＤＮタイプフィールド中で指定されたＩＰｖ４のみを用いてポイントツーポイントプロトコル（ＰＰＰ）ＶＳＮＣＰ  Ｃｏｎｆｉｇ−Ｒｅｑを生成する（９０８）。次いで、ワイヤレス通信デバイス１０４は、ネットワークによって割り当てられたＩＰｖ４アドレスのみを取得する（９１０）。ワイヤレス通信デバイス１０４が、ＩＰｖ６アプリケーションから、アクセスポイント名（ＡＰＮ）１３８へのパケットデータネットワーク（ＰＤＮ）接続１１０についての要求を受信したとき（９１２）、ワイヤレス通信デバイス１０４は、ＩＰｖ４アプリケーションがパケットデータネットワーク（ＰＤＮ）接続１１０を終了しているかどうかを判断する（９１４）。ＩＰｖ４アプリケーションがパケットデータネットワーク（ＰＤＮ）接続１１０を終了していない場合、ワイヤレス通信デバイス１０４はＩＰｖ６アプリケーションからの要求を拒否する（９１６）。ＩＰｖ４アプリケーションがパケットデータネットワーク（ＰＤＮ）接続１１０を終了している場合、ワイヤレス通信デバイス１０４は、ＰＤＮタイプフィールド中で指定されたＩＰｖ６のみを用いてポイントツーポイントプロトコル（ＰＰＰ）ＶＳＮＣＰ  Ｃｏｎｆｉｇ−Ｒｅｑを生成する（９１８）。
【００８１】
アプリケーション１１２がＩＰｖ６アプリケーションである場合、ワイヤレス通信デバイス１０４は、ＰＤＮタイプフィールド中で指定されたＩＰｖ６のみを用いてポイントツーポイントプロトコル（ＰＰＰ）ＶＳＮＣＰ  Ｃｏｎｆｉｇ−Ｒｅｑを生成する（９１８）。ワイヤレス通信デバイス１０４がＰＤＮタイプフィールド中で指定されたＩＰｖ６のみを用いてポイントツーポイントプロトコル（ＰＰＰ）ＶＳＮＣＰ  Ｃｏｎｆｉｇ−Ｒｅｑを生成した後（９１８）、ワイヤレス通信デバイス１０４は、ネットワークによって割り当てられたＩＰｖ６アドレスのみを取得する（９２０）。ワイヤレス通信デバイス１０４が、ＩＰｖ４アプリケーションから、アクセスポイント名（ＡＰＮ）１３８へのパケットデータネットワーク（ＰＤＮ）接続１１０についての要求を受信したとき（９２２）、ワイヤレス通信デバイス１０４は、ＩＰｖ６アプリケーションがパケットデータネットワーク（ＰＤＮ）接続１１０を終了しているかどうかを判断する（９２４）。ＩＰｖ６アプリケーションがパケットデータネットワーク（ＰＤＮ）接続１１０を終了していない場合、ワイヤレス通信デバイス１０４はＩＰｖ４アプリケーションからの要求を拒否する（９２６）。ＩＰｖ６アプリケーションがパケットデータネットワーク（ＰＤＮ）接続１１０を終了している場合、ワイヤレス通信デバイス１０４は、ＰＤＮタイプフィールド中で指定されたＩＰｖ４のみを用いてポイントツーポイントプロトコル（ＰＰＰ）ＶＳＮＣＰ  Ｃｏｎｆｉｇ−Ｒｅｑを生成する（９０８）。
【００８２】
高度モバイル加入者ソフトウェア（ＡＭＳＳ）１０８は、パケットデータネットワーク（ＰＤＮ）１１０ごとにＩＰアドレス１１４タイプ１１６のための構成可能なルックアップテーブルを維持し得る。パケットデータネットワーク（ＰＤＮ）接続１１０を要求するアプリケーション１１２が、パケットデータネットワーク（ＰＤＮ）接続１１０のためのＩＰアドレス１１４選好を指定しない場合、高度モバイル加入者ソフトウェア（ＡＭＳＳ）１０８は、ルックアップテーブルに従ってＩＰアドレス１１４タイプ１１６を指定し得る。デュアルＩＰベアラがＬｏｎｇ  Ｔｅｒｍ  Ｅｖｏｌｕｔｉｏｎ（ＬＴＥ）においてサポートされ、ワイヤレス通信デバイス１０４がＬｏｎｇ  Ｔｅｒｍ  Ｅｖｏｌｕｔｉｏｎ（ＬＴＥ）にある間に２つのアプリケーション１１２が（１つはＩＰｖ４を使用し、１つはＩＰｖ６を使用して）実行中であり、ワイヤレス通信デバイス１０４がＬｏｎｇ  Ｔｅｒｍ  Ｅｖｏｌｕｔｉｏｎ（ＬＴＥ）から発展型高速パケットデータ（ｅＨＲＰＤ）に移動する場合、ワイヤレス通信デバイス１０４は、ＰＤＮタイプフィールド中で単一のＩＰアドレス１１４機能のみを広告すべきである。どのアプリケーション１１２が接続を保持するかを判断するために、図７に関して上記で説明した方法７００が使用されるべきである。
【００８３】
図１０に、上記で説明した方式またはプロセスを実行するための装置１０７１のハードウェア実装形態の一部を示す。装置１０７１は、以下で説明する回路を備える。本明細書および添付の特許請求の範囲では、「回路」という用語は、機能上の用語ではなく構造上の用語として解釈されることが明らかなはずである。たとえば、回路は、図１０に図示および説明する処理および／またはメモリセル、ユニット、ブロックなどの形態の回路構成要素の集合体、たとえば、多数の集積回路構成要素とすることができる。
【００８４】
この実施形態では、回路装置は、参照番号１０７１によって示され、説明したワイヤレス通信デバイス１０４またはユーザ機器（ＵＥ）２０４中に実装され得る。
【００８５】
装置１０７１は、いくつかの回路を互いにリンクする中央データバス１０８３を備える。回路は、ＣＰＵ（中央処理装置）またはコントローラ１０８５と、受信回路１０８１と、送信回路１０７３と、メモリユニット１０７９とを含む。
【００８６】
受信回路１０８１および送信回路１０７３は、ＲＦ（無線周波数）回路（図面に図示せず）に接続され得る。受信回路１０８１は、受信信号を処理し、バッファした後、その信号をデータバス１０８３に送る。一方、送信回路１０７３は、データバス１０８３からのデータを処理し、バッファした後、そのデータをデバイス１０７１の外側に送る。ＣＰＵ／コントローラ１０８５は、データバス１０８３のデータ管理の機能、さらに、メモリユニット１０７９の命令コンテンツを実行することを含む、一般的なデータ処理の機能を実行する。
【００８７】
メモリユニット１０７９は、参照番号１０７５によって概略的に示されたモジュールおよび／または命令のセットを含む。この実施形態では、モジュール／命令は、特に、上記で説明した方式およびプロセスを実行するデュアルＩＰベアラドロップ機能１０７７を含む。機能１０７７は、図１〜図７に図示および説明したプロセスステップを実行するためのコンピュータ命令またはコードを含む。エンティティに特有の特定の命令は、機能１０７７中に選択的に実装され得る。たとえば、装置１０７１がワイヤレス通信デバイス１０４の一部である場合、特に、図１〜図７において図示および説明したワイヤレス通信デバイス１０４に特有の命令は、機能１０７７中にコーディングされ得る。
【００８８】
この実施形態では、メモリユニット１０７９はＲＡＭ（ランダムアクセスメモリ）回路である。機能１０７７などの例示的な機能は、１つまたは複数のソフトウェアルーチン、モジュールおよび／またはデータセットを含む。メモリユニット１０７９は、揮発性タイプまたは不揮発性タイプのいずれかであり得る別のメモリ回路（図示せず）に結合され得る。代替として、メモリユニット１０７９は、ＥＥＰＲＯＭ（電気消去可能プログラマブル読取り専用メモリ）、ＥＰＲＯＭ（電気プログラマブル読取り専用メモリ）、ＲＯＭ（読取り専用メモリ）、ＡＳＩＣ（特定用途向け集積回路）、磁気ディスク、光ディスク、および当技術分野でよく知られている他のものなど、他の回路タイプから製造され得る。
【００８９】
図１１に、上記で説明した方式またはプロセスを実行するための装置１１７１のハードウェア実装形態の一部を示す。装置１１７１は、以下で説明する回路を備える。本明細書および添付の特許請求の範囲では、「回路」という用語は、機能上の用語ではなく構造上の用語として解釈されることが明らかなはずである。たとえば、回路は、図１１に図示および説明する処理および／またはメモリセル、ユニット、ブロックなどの形態の回路構成要素の集合体、たとえば、多数の集積回路構成要素とすることができる。
【００９０】
この実施形態では、回路装置は、参照番号１１７１によって示され、本明細書で説明した基地局またはｅノードＢ３２４中に実装され得る。
【００９１】
装置１１７１は、いくつかの回路を互いにリンクする中央データバス１１８３を備える。回路は、ＣＰＵ（中央処理装置）またはコントローラ１１８５と、受信回路１１８１と、送信回路１１７３と、メモリユニット１１７９とを含む。
【００９２】
装置１１７１がワイヤレスデバイスの一部である場合、受信回路１１８１および送信回路１１７３は、ＲＦ（無線周波数）回路（図面に図示せず）に接続され得る。受信回路１１８１は、受信信号を処理し、バッファした後、その信号をデータバス１１８３に送る。一方、送信回路１１７３は、データバス１１８３からのデータを処理し、バッファした後、そのデータをデバイス１１７１の外側に送る。ＣＰＵ／コントローラ１１８５は、データバス１１８３のデータ管理の機能、さらに、メモリユニット１１７９の命令コンテンツを実行することを含む、一般的なデータ処理の機能を実行する。
【００９３】
メモリユニット１１７９は、参照番号１１７５によって概略的に示されたモジュールおよび／または命令のセットを含む。この実施形態では、モジュール／命令は、特に、上記で説明した方式およびプロセスを実行するデュアルＩＰベアラ命名機能１１７７を含む。機能１１７７は、図１、図３、図８および／または図９に図示および説明したプロセスステップを実行するためのコンピュータ命令またはコードを含む。エンティティに特有の特定の命令は、機能１１７７中に選択的に実装され得る。たとえば、装置１１７１がｅノードＢ３２４の一部である場合、特に、図２、図８および図９に図示および説明したｅノードＢ３２４に特有の命令は、機能１１７７中にコーディングされ得る。
【００９４】
この実施形態では、メモリユニット１１７９はＲＡＭ（ランダムアクセスメモリ）回路である。機能１１７７などの例示的な機能は、１つまたは複数のソフトウェアルーチン、モジュールおよび／またはデータセットを含む。メモリユニット１１７９は、揮発性タイプまたは不揮発性タイプのいずれかであり得る別のメモリ回路（図示せず）に結合され得る。代替として、メモリユニット１１７９は、ＥＥＰＲＯＭ（電気消去可能プログラマブル読取り専用メモリ）、ＥＰＲＯＭ（電気プログラマブル読取り専用メモリ）、ＲＯＭ（読取り専用メモリ）、ＡＳＩＣ（特定用途向け集積回路）、磁気ディスク、光ディスク、および当技術分野でよく知られている他のものなど、他の回路タイプから製造され得る。
【００９５】
上記の説明では、様々な用語とともに参照番号を時々使用した。用語が参照番号とともに使用されている場合、これは、１つまたは複数の図に示された特定の要素を指すものとされ得る。用語が参照番号なしに使用されている場合、これは、概して特定の図に限定されない用語を指すものとされ得る。
【００９６】
「判断」という用語は、多種多様なアクションを包含し、したがって、「判断」は、計算、算出、処理、導出、調査、探索（たとえば、テーブル、データベースまたは別のデータ構造での探索）、確認などを含むことができる。また、「判断」は、受信（たとえば、情報を受信すること）、アクセス（たとえば、メモリ中のデータにアクセスすること）などを含むことができる。また、「判断」は、解決、選択、選出、確立などを含むことができる。
【００９７】
「に基づいて」という句は、別段に明記されていない限り、「のみに基づいて」を意味しない。言い換えれば、「に基づいて」という句は、「のみに基づいて」と「に少なくとも基づいて」の両方を表す。
【００９８】
本明細書で説明した機能は、１つまたは複数の命令としてコンピュータ可読媒体上に記憶され得る。「コンピュータ可読媒体」という用語は、コンピュータまたはプロセッサによってアクセスされ得る任意の利用可能な媒体を指す。限定ではなく、例として、そのような媒体は、ＲＡＭ、ＲＯＭ、ＥＥＰＲＯＭ、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコードを記憶するために使用され得、コンピュータまたはプロセッサによってアクセスされ得る、任意の他の媒体を備え得る。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。コンピュータ可読媒体は有形で非一時的（non-transitory）であり得ることに留意されたい。「コンピュータプログラム製品」という用語は、コンピューティングデバイスまたはプロセッサによって実行、処理または計算され得るコードまたは命令（たとえば、「プログラム」）と組み合わせたコンピューティングデバイスまたはプロセッサを指す。本明細書で使用する「コード」という用語は、コンピューティングデバイスまたはプロセッサによって実行可能であるソフトウェア、命令、コードまたはデータを指すことがある。
【００９９】
ソフトウェアまたは命令はまた、送信媒体を介して送信され得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、送信媒体の定義に含まれる。
【０１００】
本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、本明細書で説明する方法の適切な動作のためにステップまたはアクションの特定の順序が必要とされない限り、特定のステップおよび／またはアクションの順序および／または使用は、特許請求の範囲から逸脱することなく修正され得る。
【０１０１】
特許請求の範囲は、上記に示した正確な構成および構成要素に限定されないことを理解されたい。特許請求の範囲から逸脱することなく、本明細書で説明したシステム、方法、および装置の構成、動作および詳細において、様々な改変、変更および変形が行われ得る。
【０１０２】
いかなるクレーム要素も、その要素が「手段」という語句を使用して明確に具陳されていない限り、または方法クレームの場合には、その要素が「ステップ」という語句を使用して具陳されていない限り、米国特許法第１１２条第６項の規定に基づいて解釈されるべきではない。
以下に、本願出願の当初の特許請求の範囲に記載された発明を付記する。
［Ｃ１］
通信システムにおいて動作可能な装置であって、
ネットワークへのデータ接続のために第１のアプリケーションのための第１のタイプの第１のインターネットプロトコルアドレスと第２のアプリケーションのための第２のタイプの第２のインターネットプロトコルアドレスとの割当てを受信するための手段と、
前記装置が前記第１のインターネットプロトコルアドレスと前記第２のインターネットプロトコルアドレスの両方を処理することが現在可能でないと判断するための手段と、
廃棄すべきインターネットプロトコルアドレスを判断するための手段と、
前記判断されたインターネットプロトコルアドレスを廃棄するための手段と
を備える、装置。
［Ｃ２］
前記データ接続がパケットデータネットワーク接続であり、前記ネットワークがアクセスポイント名であり、前記第１のインターネットプロトコルアドレスがＩＰｖ４アドレスであり、前記第２のインターネットプロトコルアドレスがＩＰｖ６アドレスであり、第１の無線アクセス技術がＬｏｎｇ  Ｔｅｒｍ  Ｅｖｏｌｕｔｉｏｎであり、第２の無線アクセス技術が発展型高速パケットデータである、［Ｃ１］に記載の装置。
［Ｃ３］
廃棄すべきインターネットプロトコルアドレスを判断するための前記手段は、前記データ接続を要求するアプリケーションがインターネットプロトコルアドレスタイプをも要求したと判断するための手段を備え、前記データ接続を要求する前記アプリケーションがＩＰｖ４アドレスを要求し、前記判断されたインターネットプロトコルアドレスがＩＰｖ６アドレスであり、前記ＩＰｖ４アドレスを保持するための手段をさらに備える、［Ｃ１］に記載の装置。
［Ｃ４］
廃棄すべきインターネットプロトコルアドレスを判断するための前記手段は、前記データ接続を要求するアプリケーションがインターネットプロトコルアドレスタイプをも要求したと判断するための手段を備え、前記データ接続を要求する前記アプリケーションがＩＰｖ６アドレスを要求し、前記判断されたインターネットプロトコルアドレスがＩＰｖ４アドレスであり、前記ＩＰｖ６アドレスを保持するための手段をさらに備える、［Ｃ１］に記載の装置。
［Ｃ５］
廃棄すべきインターネットプロトコルアドレスを判断するための前記手段が、
前記データ接続を要求するアプリケーションがインターネットプロトコルアドレスタイプを要求しなかったと判断するための手段と、
事業者が保持されるべきＩＰｖ４を指定していると判断するための手段であって、前記判断されたインターネットプロトコルアドレスがＩＰｖ６アドレスである、判断するための手段と、
前記ＩＰｖ４アドレスを保持するための手段と
を備える、［Ｃ１］に記載の装置。
［Ｃ６］
廃棄すべきインターネットプロトコルアドレスを判断するための前記手段が、
前記データ接続を要求するアプリケーションがインターネットプロトコルアドレスタイプを要求しなかったと判断するための手段と、
事業者が保持されるべきＩＰｖ６を指定していると判断するための手段であって、前記判断されたインターネットプロトコルアドレスがＩＰｖ４アドレスである、判断するための手段と、
前記ＩＰｖ６アドレスを保持するための手段と
を備える、［Ｃ１］に記載の装置。
［Ｃ７］
前記装置が前記第１のインターネットプロトコルアドレスと前記第２のインターネットプロトコルアドレスの両方を処理することが現在可能でないと判断するための前記手段が、第１の無線アクセス技術におけるアクセスポイント名から第２の無線技術における前記アクセスポイント名に切り替わるための手段を備え、前記装置は、前記第１のインターネットプロトコルアドレスと前記第２のインターネットプロトコルアドレスの両方を処理することが前記第１の無線アクセス技術では可能であるが、前記第２の無線アクセス技術では可能でない、［Ｃ１］に記載の装置。
［Ｃ８］
廃棄すべきインターネットプロトコルアドレスを判断するための前記手段は、前記第１のインターネットプロトコルアドレスと前記第２のインターネットプロトコルアドレスとがスロットリングされるかどうかを判断するための手段を備え、前記第１のインターネットプロトコルアドレスと前記第２のインターネットプロトコルアドレスの両方がスロットリングされ、廃棄すべきインターネットプロトコルアドレスを判断するための前記手段は、
スロットリングタイマーが満了するまで前記第１のインターネットプロトコルアドレスと前記第２のインターネットプロトコルアドレスとを阻止するための手段と、
インターネットプロトコルアドレスサービス品質が前記第１のアプリケーションと前記第２のアプリケーションとのために構成されたかどうかを判断するための手段と
をさらに備える、［Ｃ７］に記載の装置。
［Ｃ９］
廃棄すべきインターネットプロトコルアドレスを判断するための前記手段は、前記第１のインターネットプロトコルアドレスと前記第２のインターネットプロトコルアドレスとがスロットリングされるかどうかを判断するための手段を備え、前記第１のインターネットプロトコルアドレスも前記第２のインターネットプロトコルアドレスもスロットリングされず、廃棄すべきインターネットプロトコルアドレスを判断するための前記手段は、インターネットプロトコルアドレスサービス品質が前記第１のアプリケーションと前記第２のアプリケーションとのために構成されたかどうかを判断するための手段を備える、［Ｃ７］に記載の装置。
［Ｃ１０］
前記インターネットプロトコルサービス品質が前記第１のアプリケーションと前記第２のアプリケーションのいずれのためにも構成されず、廃棄すべきインターネットプロトコルアドレスを判断するための前記手段は、前記第１のアプリケーションの非アクティビティ時間と前記第２のアプリケーションの非アクティビティ時間とが両方とも非アクティビティしきい値よりも大きいかどうかを判断するための手段をさらに備える、［Ｃ９］に記載の装置。
［Ｃ１１］
前記インターネットプロトコルサービス品質が前記第１のアプリケーションと前記第２のアプリケーションの両方のために構成され、廃棄すべきインターネットプロトコルアドレスを判断するための前記手段は、前記第１のアプリケーションの非アクティビティ時間と前記第２のアプリケーションの非アクティビティ時間とが両方とも非アクティビティしきい値よりも大きいかどうかを判断するための手段をさらに備える、［Ｃ９］に記載の装置。
［Ｃ１２］
前記第１のアプリケーションの前記非アクティビティ時間と前記第２のアプリケーションの前記非アクティビティ時間とが両方とも前記非アクティビティしきい値よりも大きく、廃棄すべきインターネットプロトコルアドレスを判断するための前記手段は、事業者が保持されるべきインターネットプロトコルアドレスタイプを指定しているかどうかを判断するための手段をさらに備える、［Ｃ１１］に記載の装置。
［Ｃ１３］
前記事業者が保持されるべきＩＰｖ４を指定しており、廃棄すべき前記判断されたインターネットプロトコルアドレスがＩＰｖ６アドレスであり、前記ＩＰｖ４アドレスを保持するための手段をさらに備える、［Ｃ１２］に記載の装置。
［Ｃ１４］
前記事業者が保持されるべきＩＰｖ６を指定しており、廃棄すべき前記判断されたインターネットプロトコルアドレスがＩＰｖ４アドレスであり、前記ＩＰｖ６アドレスを保持するための手段をさらに備える、［Ｃ１２］に記載の装置。
［Ｃ１５］
前記事業者が保持されるべきインターネットプロトコルアドレスタイプを指定しておらず、廃棄すべき前記判断されたインターネットプロトコルアドレスがＩＰｖ４アドレスであり、ＩＰｖ６アドレスを保持するための手段をさらに備える、［Ｃ１２］に記載の装置。
［Ｃ１６］
前記第１のアプリケーションの前記非アクティビティ時間と前記第２のアプリケーションの前記非アクティビティ時間とが両方とも前記非アクティビティしきい値以下であり、廃棄すべきインターネットプロトコルアドレスを判断するための前記手段は、どのアプリケーションがデータ転送に最も最近関与したかを判断するための手段をさらに備え、前記第１のアプリケーションがデータ転送に最も最近関与し、前記第２のインターネットプロトコルアドレスが、廃棄すべき前記判断されたインターネットプロトコルアドレスである、［Ｃ１１］に記載の装置。
［Ｃ１７］
前記第１のアプリケーションの前記非アクティビティ時間と前記第２のアプリケーションの前記非アクティビティ時間とが両方とも前記非アクティビティしきい値以下であり、廃棄すべきインターネットプロトコルアドレスを判断するための前記手段は、どのアプリケーションがデータ転送に最も最近関与したかを判断するための手段をさらに備え、前記第２のアプリケーションがデータ転送に最も最近関与し、前記第１のインターネットプロトコルアドレスが、廃棄すべき前記判断されたインターネットプロトコルアドレスである、［Ｃ１１］に記載の装置。
［Ｃ１８］
前記インターネットプロトコルアドレスサービス品質が前記第１のアプリケーションのみのために構成され、前記第２のインターネットプロトコルアドレスが、廃棄すべき前記判断されたインターネットプロトコルアドレスである、［Ｃ８］に記載の装置。
［Ｃ１９］
前記インターネットプロトコルアドレスサービス品質が前記第２のアプリケーションのみのために構成され、前記第１のインターネットプロトコルアドレスが、廃棄すべき前記判断されたインターネットプロトコルアドレスである、［Ｃ８］に記載の装置。
［Ｃ２０］
前記装置が前記第１の無線アクセス技術から前記第２の無線アクセス技術に切り替わるとき、ドロップされたインターネットプロトコルアドレスタイマーを開始するための手段と、
廃棄すべき前記判断されたインターネットプロトコルアドレスを記憶するための手段と、
前記装置が前記ドロップされたインターネットプロトコルアドレスタイマーの満了より前にソース無線アクセス技術に戻った場合、廃棄すべき前記判断されたインターネットプロトコルアドレスを再利用するための手段と
をさらに備える、［Ｃ１１］に記載の装置。
［Ｃ２１］
ワイヤレス通信デバイスによって動作可能な方法であって、
ネットワークへのデータ接続のために第１のアプリケーションのための第１のタイプの第１のインターネットプロトコルアドレスと第２のアプリケーションのための第２のタイプの第２のインターネットプロトコルアドレスとの割当てを受信することと、
前記ワイヤレス通信デバイスが前記第１のインターネットプロトコルアドレスと前記第２のインターネットプロトコルアドレスの両方を処理することが現在可能でないと判断することと、
廃棄すべきインターネットプロトコルアドレスを判断することと、
前記判断されたインターネットプロトコルアドレスを廃棄することと
を備える、方法。
［Ｃ２２］
前記データ接続がパケットデータネットワーク接続であり、前記ネットワークがアクセスポイント名であり、前記第１のインターネットプロトコルアドレスがＩＰｖ４アドレスであり、前記第２のインターネットプロトコルアドレスがＩＰｖ６アドレスであり、第１の無線アクセス技術がＬｏｎｇ  Ｔｅｒｍ  Ｅｖｏｌｕｔｉｏｎであり、第２の無線アクセス技術が発展型高速パケットデータである、［Ｃ２１］に記載の方法。
［Ｃ２３］
廃棄すべきインターネットプロトコルアドレスを判断することは、前記データ接続を要求するアプリケーションがインターネットプロトコルアドレスタイプをも要求したと判断することを備え、前記データ接続を要求する前記アプリケーションがＩＰｖ４アドレスを要求し、前記判断されたインターネットプロトコルアドレスがＩＰｖ６アドレスであり、前記ＩＰｖ４アドレスを保持することをさらに備える、［Ｃ２１］に記載の方法。
［Ｃ２４］
廃棄すべきインターネットプロトコルアドレスを判断することは、前記データ接続を要求するアプリケーションがインターネットプロトコルアドレスタイプをも要求したと判断することを備え、前記データ接続を要求する前記アプリケーションがＩＰｖ６アドレスを要求し、前記判断されたインターネットプロトコルアドレスがＩＰｖ４アドレスであり、前記ＩＰｖ６アドレスを保持することをさらに備える、［Ｃ２１］に記載の方法。
［Ｃ２５］
廃棄すべきインターネットプロトコルアドレスを判断することが、
前記データ接続を要求するアプリケーションがインターネットプロトコルアドレスタイプを要求しなかったと判断することと、
事業者が保持されるべきＩＰｖ４を指定していると判断することであって、前記判断されたインターネットプロトコルアドレスがＩＰｖ６アドレスである、判断することと、
前記ＩＰｖ４アドレスを保持することと
を備える、［Ｃ２１］に記載の方法。
［Ｃ２６］
廃棄すべきインターネットプロトコルアドレスを判断することが、
前記データ接続を要求するアプリケーションがインターネットプロトコルアドレスタイプを要求しなかったと判断することと、
事業者が保持されるべきＩＰｖ６を指定していると判断することであって、前記判断されたインターネットプロトコルアドレスがＩＰｖ４アドレスである、判断することと、
前記ＩＰｖ６アドレスを保持することと
を備える、［Ｃ２１］に記載の方法。
［Ｃ２７］
前記装置が前記第１のインターネットプロトコルアドレスと前記第２のインターネットプロトコルアドレスの両方を処理することが現在可能でないと判断することが、第１の無線アクセス技術におけるアクセスポイント名から第２の無線技術における前記アクセスポイント名に切り替わることを備え、前記装置は、前記第１のインターネットプロトコルアドレスと前記第２のインターネットプロトコルアドレスの両方を処理することが前記第１の無線アクセス技術では可能であるが、前記第２の無線アクセス技術では可能でない、［Ｃ２１］に記載の方法。
［Ｃ２８］
廃棄すべきインターネットプロトコルアドレスを判断することは、前記第１のインターネットプロトコルアドレスと前記第２のインターネットプロトコルアドレスとがスロットリングされるかどうかを判断することを備え、前記第１のインターネットプロトコルアドレスと前記第２のインターネットプロトコルアドレスの両方がスロットリングされ、廃棄すべきインターネットプロトコルアドレスを判断することは、
スロットリングタイマーが満了するまで前記第１のインターネットプロトコルアドレスと前記第２のインターネットプロトコルアドレスとを阻止することと、
インターネットプロトコルアドレスサービス品質が前記第１のアプリケーションと前記第２のアプリケーションとのために構成されたかどうかを判断することと
をさらに備える、［Ｃ２７］に記載の方法。
［Ｃ２９］
廃棄すべきインターネットプロトコルアドレスを判断することは、前記第１のインターネットプロトコルアドレスと前記第２のインターネットプロトコルアドレスとがスロットリングされるかどうかを判断することを備え、前記第１のインターネットプロトコルアドレスも前記第２のインターネットプロトコルアドレスもスロットリングされず、廃棄すべきインターネットプロトコルアドレスを判断することは、インターネットプロトコルアドレスサービス品質が前記第１のアプリケーションと前記第２のアプリケーションとのために構成されたかどうかを判断することを備える、［Ｃ２７］に記載の方法。
［Ｃ３０］
前記インターネットプロトコルサービス品質が前記第１のアプリケーションと前記第２のアプリケーションのいずれのためにも構成されず、廃棄すべきインターネットプロトコルアドレスを判断することは、前記第１のアプリケーションの非アクティビティ時間と前記第２のアプリケーションの非アクティビティ時間とが両方とも非アクティビティしきい値よりも大きいかどうかを判断することをさらに備える、［Ｃ２９］に記載の方法。
［Ｃ３１］
前記インターネットプロトコルサービス品質が前記第１のアプリケーションと前記第２のアプリケーションの両方のために構成され、廃棄すべきインターネットプロトコルアドレスを判断することは、前記第１のアプリケーションの非アクティビティ時間と前記第２のアプリケーションの非アクティビティ時間とが両方とも非アクティビティしきい値よりも大きいかどうかを判断することをさらに備える、［Ｃ２９］に記載の方法。
［Ｃ３２］
前記第１のアプリケーションの前記非アクティビティ時間と前記第２のアプリケーションの前記非アクティビティ時間とが両方とも前記非アクティビティしきい値よりも大きく、廃棄すべきインターネットプロトコルアドレスを判断することは、事業者が保持されるべきインターネットプロトコルアドレスタイプを指定しているかどうかを判断することをさらに備える、［Ｃ３１］に記載の方法。
［Ｃ３３］
前記事業者が保持されるべきＩＰｖ４を指定しており、廃棄すべき前記判断されたインターネットプロトコルアドレスがＩＰｖ６アドレスであり、前記ＩＰｖ４アドレスを保持することをさらに備える、［Ｃ３２］に記載の方法。
［Ｃ３４］
前記事業者が保持されるべきＩＰｖ６を指定しており、廃棄すべき前記判断されたインターネットプロトコルアドレスがＩＰｖ４アドレスであり、前記ＩＰｖ６アドレスを保持することをさらに備える、［Ｃ３２］に記載の方法。
［Ｃ３５］
前記事業者が保持されるべきインターネットプロトコルアドレスタイプを指定しておらず、廃棄すべき前記判断されたインターネットプロトコルアドレスがＩＰｖ４アドレスであり、ＩＰｖ６アドレスを保持することをさらに備える、［Ｃ３２］に記載の方法。
［Ｃ３６］
前記第１のアプリケーションの前記非アクティビティ時間と前記第２のアプリケーションの前記非アクティビティ時間とが両方とも前記非アクティビティしきい値以下であり、廃棄すべきインターネットプロトコルアドレスを判断することは、どのアプリケーションがデータ転送に最も最近関与したかを判断することをさらに備え、前記第１のアプリケーションがデータ転送に最も最近関与し、前記第２のインターネットプロトコルアドレスが、廃棄すべき前記判断されたインターネットプロトコルアドレスである、［Ｃ３１］に記載の方法。
［Ｃ３７］
前記第１のアプリケーションの前記非アクティビティ時間と前記第２のアプリケーションの前記非アクティビティ時間とが両方とも前記非アクティビティしきい値以下であり、廃棄すべきインターネットプロトコルアドレスを判断することは、どのアプリケーションがデータ転送に最も最近関与したかを判断することをさらに備え、前記第２のアプリケーションがデータ転送に最も最近関与し、前記第１のインターネットプロトコルアドレスが、廃棄すべき前記判断されたインターネットプロトコルアドレスである、［Ｃ３１］に記載の方法。
［Ｃ３８］
前記インターネットプロトコルアドレスサービス品質が前記第１のアプリケーションのみのために構成され、前記第２のインターネットプロトコルアドレスが、廃棄すべき前記判断されたインターネットプロトコルアドレスである、［Ｃ２８］に記載の方法。
［Ｃ３９］
前記インターネットプロトコルアドレスサービス品質が前記第２のアプリケーションのみのために構成され、前記第１のインターネットプロトコルアドレスが、廃棄すべき前記判断されたインターネットプロトコルアドレスである、［Ｃ２８］に記載の方法。
［Ｃ４０］
前記装置が前記第１の無線アクセス技術から前記第２の無線アクセス技術に切り替わるとき、ドロップされたインターネットプロトコルアドレスタイマーを開始することと、
廃棄すべき前記判断されたインターネットプロトコルアドレスを記憶することと、
前記装置が前記ドロップされたインターネットプロトコルアドレスタイマーの満了より前にソース無線アクセス技術に戻った場合、廃棄すべき前記判断されたインターネットプロトコルアドレスを再利用することと
をさらに備える、［Ｃ３１］に記載の方法。
［Ｃ４１］
通信システムにおいて動作可能なコンピュータプログラム製品であって、前記コンピュータプログラム製品が、命令をその上に有する非一時的有形コンピュータ可読媒体を備え、前記命令が、
装置に、ネットワークへのデータ接続のために第１のアプリケーションのための第１のタイプの第１のインターネットプロトコルアドレスと第２のアプリケーションのための第２のタイプの第２のインターネットプロトコルアドレスとの割当てを受信させるためのコードと、
前記装置に、前記装置が前記第１のインターネットプロトコルアドレスと前記第２のインターネットプロトコルアドレスの両方を処理することが現在可能でないと判断させるためのコードと、
前記装置に、廃棄すべきインターネットプロトコルアドレスを判断させるためのコードと、
前記装置に、前記判断されたインターネットプロトコルアドレスを廃棄させるためのコードと
を備える、コンピュータプログラム製品。
【図１】
0005547334.tif 000010
【図２】
0005547334.tif 000011
【図３】
0005547334.tif 000012
【図４】
0005547334.tif 000013
【図５】
0005547334.tif 000014
【図６】
0005547334.tif 000015
【図７】
0005547334.tif 000016
【図８】
0005547334.tif 000017
【図９】
0005547334.tif 000018
【図１０】
0005547334.tif 000019
【図１１】
0005547334.tif 000020